(57)【特許請求の範囲】
【請求項１】
非接触でユーザ識別情報を取得する非接触センサと、
場所情報と時間情報とを含みユーザ識別情報に対応付けられたスケジュール情報を記憶するスケジュール管理装置に、前記非接触センサが取得した前記ユーザ識別情報と、自装置の識別情報または設置位置情報とを通知し、
通知した前記ユーザ識別情報を前記非接触センサが取得した時間に対応するスケジュール情報および／または前記時間に後続する直近のスケジュール情報に含まれる場所情報が前記自装置の識別情報または設置位置情報と対応する場合に、前記スケジュール管理装置により行われる場所の利用状況の更新に応じて、前記場所の利用状況が更新されたことを示す第１の出力を行い、
前記第１の出力を行った後に所定の操作を受け付けた場合に、前記非接触センサが取得した前記ユーザ識別情報の通知に応じて前記スケジュール管理装置から取得される前記ユーザ識別情報に対応するスケジュール情報であって、前記非接触センサが前記ユーザ識別情報を取得した時間に対応するスケジュール情報および／または前記時間に後続する直近のスケジュール情報を示す第２の出力を行う制御部と、
を有することを特徴とするスケジュール案内装置。
【請求項２】
前記制御部は、前記スケジュール情報を出力する場合に、前記場所情報が示す場所への経路案内を出力する、ことを特徴とする請求項１に記載のスケジュール案内装置。
【請求項３】
前記制御部は、前記非接触センサの設置場所から前記場所情報が示す場所までの経路に含まれる交通機関を利用した経路案内を出力する、ことを特徴とする請求項２に記載のスケジュール案内装置。
【請求項４】
前記スケジュール案内装置は、さらに、人感センサを有し、
前記制御部は、前記人感センサが人物を検知した場合に、ユーザ識別情報を非接触送信させることを促す出力を行う、ことを特徴とする請求項１〜３のいずれか一つに記載のスケジュール案内装置。
【請求項５】
前記制御部は、前記非接触センサが取得した前記ユーザ識別情報が属するユーザ種別に応じて、前記場所情報が示す場所への詳細度の異なる経路案内を出力する、ことを特徴とする請求項２に記載のスケジュール案内装置。
【請求項６】
前記制御部が行う出力の出力先は、ディスプレイへの出力であり、
前記非接触センサは、前記ディスプレイの背面側に配置される、ことを特徴とする請求項１〜５のいずれか一つに記載のスケジュール案内装置。
【請求項７】
コンピュータが、
場所情報と時間情報とを含みユーザ識別情報に対応付けられたスケジュール情報を記憶するスケジュール管理装置に、非接触でユーザ識別情報を取得する非接触センサが取得した前記ユーザ識別情報と、自装置の識別情報または設置位置情報とを通知し、
通知した前記ユーザ識別情報を前記非接触センサが取得した時間に対応するスケジュール情報および／または前記時間に後続する直近のスケジュール情報に含まれる場所情報が前記自装置の識別情報または設置位置情報と対応する場合に、前記スケジュール管理装置により行われる場所の利用状況の更新に応じて、前記場所の利用状況が更新されたことを示す第１の出力を行い、
前記第１の出力を行った後に所定の操作を受け付けた場合に、前記非接触センサが取得した前記ユーザ識別情報の通知に応じて前記スケジュール管理装置から取得される前記ユーザ識別情報に対応するスケジュール情報であって、前記非接触センサが前記ユーザ識別情報を取得した時間に対応するスケジュール情報および／または前記時間に後続する直近のスケジュール情報を示す第２の出力を行う、
処理を実行することを特徴とするスケジュール案内方法。
【請求項８】
コンピュータに、
場所情報と時間情報とを含みユーザ識別情報に対応付けられたスケジュール情報を記憶するスケジュール管理装置に、非接触でユーザ識別情報を取得する非接触センサが取得した前記ユーザ識別情報と、自装置の識別情報または設置位置情報とを通知し、
通知した前記ユーザ識別情報を前記非接触センサが取得した時間に対応するスケジュール情報および／または前記時間に後続する直近のスケジュール情報に含まれる場所情報が前記自装置の識別情報または設置位置情報と対応する場合に、前記スケジュール管理装置により行われる場所の利用状況の更新に応じて、前記場所の利用状況が更新されたことを示す第１の出力を行い、
前記第１の出力を行った後に所定の操作を受け付けた場合に、前記非接触センサが取得した前記ユーザ識別情報の通知に応じて前記スケジュール管理装置から取得される前記ユーザ識別情報に対応するスケジュール情報であって、前記非接触センサが前記ユーザ識別情報を取得した時間に対応するスケジュール情報および／または前記時間に後続する直近のスケジュール情報を示す第２の出力を行う、
処理を実行させることを特徴とするスケジュール案内プログラム。
【発明の詳細な説明】
【技術分野】
【０００１】
本発明は、スケジュール案内装置、スケジュール案内方法、およびスケジュール案内プログラムに関する。
【背景技術】
【０００２】
企業などの組織では、日々様々な目的で会議が行われている。会議は会議室で行われることが多い。一方、会議室の数は限られており、会議室を利用するには、原則として予約が必要となっているところが多い。ユーザは、例えば、会議室の予約状況を確認して、希望の日時に希望の会議室が空いていれば、その会議室の予約を行うことができる。
【０００３】
また、データセンタでは、数千〜数万規模のサーバが運用・管理されており、作業員による保守点検作業が頻繁に行われている。作業員は、例えば、予め決められた作業時間になると、データセンタ内の自分が担当する作業場所（例えば、ラック位置）へ行って各種作業を行う。
【０００４】
先行技術としては、例えば、ユーザの身体の各部分の状態を計測した結果に基づいて、ユーザの活動状態を同定し、同定した活動状態に基づいて、ユーザが必要とする情報を推定し、推定した情報を表示するものがある。また、センサにより検知された利用者の所定の行動に関する行動情報を蓄積し、蓄積した行動情報に基づいて、利用者の行動を予測し、利用者の行動予測情報を用いて、入力装置に入力された利用者の行動予定に関する情報を補完する技術がある。また、各無線リーダから出力される各認識情報信号に基づいて従業員が存在するスペースを認識し、従業員が存在する店舗内のスペースを時系列に記録してワーク状況データを作成し、ディスプレイに表示する技術がある。
【先行技術文献】
【特許文献】
【０００５】
【特許文献１】特開２００６−２９３５３５号公報
【特許文献２】特開２０１１−０７０５０１号公報
【特許文献３】特開２００９−１４５９８０号公報
【発明の概要】
【発明が解決しようとする課題】
【０００６】
しかしながら、従来技術では、会議室やデータセンタなどの施設を効率的に運用することが難しい。例えば、従来技術では、ユーザが自身のスケジュールを確認するのに手間がかかる。このため、スケジュールの確認を怠って、会議の時間を間違ったり、会議の存在自体を見落としてしまう場合がある。会議への参加が遅れると、会議開始の遅れや会議の長時間化を招き、会議室の効率的な運用の妨げになる。
【０００７】
また、データセンタにおける作業員の場合、作業のスケジュールの確認を怠って、作業時間や作業場所を間違ったり、作業の存在自体を見落としたりしてしまうことがある。作業の開始が遅れると、サーバの運用・管理に支障をきたし、データセンタの効率的な運用の妨げになる。さらに、作業場所を間違うと、セキュリティ上好ましくなく、また、誤作動を引き起こす恐れがある。
【０００８】
一つの側面では、本発明は、施設の効率的な運用を図るスケジュール案内装置、スケジュール案内方法、およびスケジュール案内プログラムを提供することを目的とする。
【課題を解決するための手段】
【０００９】
本発明の一態様によれば、ユーザ識別情報に対応付けてスケジュール情報を記憶するスケジュール管理装置に、非接触でユーザ識別情報を取得する非接触センサが取得した前記ユーザ識別情報を通知し、通知に応じて前記スケジュール管理装置から取得した前記ユーザ識別情報に対応するスケジュール情報であって、前記非接触センサが前記ユーザ識別情報を取得した時間に対応するスケジュール情報および／または前記時間に後続する直近のスケジュール情報を出力するスケジュール案内装置、スケジュール案内方法、およびスケジュール案内プログラムが提案される。
【００１０】
また、本発明の一態様によれば、ユーザ識別情報に対応付けてスケジュール情報を記憶するスケジュール管理装置に、非接触でユーザ識別情報を取得する非接触センサが取得した前記ユーザ識別情報と、自装置の識別情報または設置位置とを通知し、通知した前記ユーザ識別情報を前記非接触センサが取得した時間に対応するスケジュール情報および／または前記時間に後続する直近のスケジュール情報に含まれる場所が、通知した前記自装置の識別情報または設置位置に対応する場合に前記スケジュール管理装置により行われる前記場所の利用状況の更新に応じて、前記場所の利用状況が更新された旨の出力を行うスケジュール案内装置、スケジュール案内方法、およびスケジュール案内プログラムが提案される。
【発明の効果】
【００１１】
本発明の一側面によれば、施設の効率的な運用を図ることができるという効果を奏する。
【図面の簡単な説明】
【００１２】
【図１】図１は、実施の形態にかかるスケジュール案内方法の一実施例を示す説明図である。
【図２】図２は、スケジュール案内システム２００のシステム構成例を示す説明図である。
【図３】図３は、スケジュール管理装置１０３のハードウェア構成例を示すブロック図である。
【図４】図４は、第１のスケジュール案内装置＃ｉ等のハードウェア構成例を示すブロック図である。
【図５】図５は、スケジュール管理ＤＢ２２０の記憶内容の一例を示す説明図である。
【図６】図６は、利用状況管理ＤＢ２３０の記憶内容の一例を示す説明図である。
【図７】図７は、最寄り駅ＤＢ２４０の記憶内容の一例を示す説明図である。
【図８】図８は、利用状況テーブル２５０の記憶内容の一例を示す説明図である。
【図９】図９は、第１のスケジュール案内装置＃ｉの機能的構成例を示すブロック図である。
【図１０】図１０は、入力画面の画面例を示す説明図である。
【図１１】図１１は、スケジュール画面の画面例を示す説明図である。
【図１２】図１２は、経路案内画面の画面例を示す説明図（その１）である。
【図１３】図１３は、経路案内画面の画面例を示す説明図（その２）である。
【図１４】図１４は、経路案内画面の画面例を示す説明図（その３）である。
【図１５】図１５は、第２のスケジュール案内装置＄ｊの機能的構成例を示すブロック図である。
【図１６】図１６は、利用状況確認画面の画面例を示す説明図（その１）である。
【図１７】図１７は、利用状況確認画面の画面例を示す説明図（その２）である。
【図１８】図１８は、利用状況確認画面の画面例を示す説明図（その３）である。
【図１９】図１９は、利用状況確認画面の画面例を示す説明図（その４）である。
【図２０】図２０は、利用状況確認画面の画面例を示す説明図（その５）である。
【図２１】図２１は、利用状況確認画面の画面例を示す説明図（その６）である。
【図２２】図２２は、利用状況確認画面の画面例を示す説明図（その７）である。
【図２３】図２３は、利用状況一覧画面の画面例を示す説明図である。
【図２４】図２４は、第１のスケジュール案内装置＃ｉのスケジュール案内処理手順の一例を示すフローチャートである。
【図２５】図２５は、第２のスケジュール案内装置＄ｊのスケジュール案内処理手順の一例を示すフローチャート（その１）である。
【図２６】図２６は、第２のスケジュール案内装置＄ｊのスケジュール案内処理手順の一例を示すフローチャート（その２）である。
【発明を実施するための形態】
【００１３】
以下に図面を参照して、本発明にかかるスケジュール案内装置、スケジュール案内方法、およびスケジュール案内プログラムの実施の形態を詳細に説明する。
【００１４】
（実施の形態）
図１は、実施の形態にかかるスケジュール案内方法の一実施例を示す説明図である。図１において、スケジュール案内装置１０１は、非接触センサ１１０を有し、スケジュール情報を出力するコンピュータである。スケジュール案内装置１０１は、例えば、建物のエントランスや、各階のエレベータ前などの人通りの多いところに設置される。
【００１５】
非接触センサ１１０は、非接触でユーザ識別情報を取得するセンサである。ユーザ識別情報は、ユーザＭを一意に識別する情報であり、例えば、ユーザＩＤ、パスワードなどを含む。ユーザＭは、例えば、会社の社員やゲストである。ユーザ識別情報は、例えば、非接触型ＩＣ（Ｉｎｔｅｇｒａｔｅｄ  Ｃｉｒｃｕｉｔ）カード１０２に記憶される。
【００１６】
非接触型ＩＣカード１０２は、カード内部にアンテナを内蔵し、電波を利用して各種データの送受信を行うＩＣカードである。非接触型ＩＣカード１０２は、例えば、社員証やゲストカードとして利用される。具体的には、例えば、非接触型ＩＣカード１０２は、ＮＦＣ（Ｎｅａｒ  Ｆｉｅｌｄ  Ｃｏｍｍｕｎｉｃａｔｉｏｎ）搭載のＩＣカードである。ＮＦＣは、通信距離が１０センチメートル程度の近距離無線通信技術である。
【００１７】
この場合、非接触センサ１１０は、ＮＦＣを利用した無線通信により、非接触型ＩＣカード１０２からユーザ識別情報を取得する。非接触センサ１１０は、例えば、スケジュール案内装置１０１が有するディスプレイ１２０の背面側に配置される。これにより、ユーザＭは、ディスプレイ１２０に非接触型ＩＣカード１０２をかざすといった簡単な非接触操作を行うだけで、自身のユーザ識別情報をスケジュール案内装置１０１に入力することができる。
【００１８】
スケジュール情報は、ユーザＭの行事や行動などの予定（スケジュール）を示す情報である。スケジュール情報は、例えば、時間情報や場所情報を含む。時間情報は、予定が行われる時間（例えば、日時）を示す。場所情報は、予定が行われる場所を示す。例えば、ユーザＭが参加予定の会議を示すスケジュール情報には、会議が行われる時間を示す時間情報や、会議が行われる場所を示す場所情報が含まれる。また、例えば、ユーザＭが行う予定の作業を示すスケジュール情報には、作業が行われる時間を示す情報や、作業が行われる場所を示す場所情報が含まれる。
【００１９】
ここで、ユーザＭが自身のスケジュール情報を確認したい場合、例えば、自席のＰＣ（Ｐｅｒｓｏｎａｌ  Ｃｏｍｐｕｔｅｒ）などで、自身のスケジュール情報を確認することができる。ところが、自席に戻ってＰＣを起動したり、スケジュール管理アプリを起動したりすることになり、スケジュール情報を確認するのに手間がかかる。
【００２０】
また、例えば、会議室フロアなどに設置された電子掲示板に、当日開催される予定の全会議の件名等を一覧表示することが考えられる。ところが、このような電子掲示板では、当日開催される予定の会議の件名は確認できるものの、ユーザＭ個人のスケジュール情報を確認することは難しい。
【００２１】
そこで、本実施の形態では、ユーザＭが、非接触センサ１１０に非接触型ＩＣカード１０２をかざすといった簡単な非接触操作を行うだけで、自身のスケジュール情報を確認することができるスケジュール案内方法について説明する。以下、スケジュール案内装置１００の処理例について説明する。
【００２２】
（１）スケジュール案内装置１０１は、非接触センサ１１０により、非接触でユーザ識別情報を取得する。図１の例では、スケジュール案内装置１０１のディスプレイ１２０の背面側に、非接触センサ１１０が配置されている。この場合、ユーザＭが非接触型ＩＣカード１０２をディスプレイ１２０にかざすことにより、ユーザＭのユーザ識別情報がスケジュール案内装置１０１に取得される。
【００２３】
（２）スケジュール案内装置１０１は、ユーザ識別情報を取得したことに応じて、当該ユーザ識別情報をスケジュール管理装置１０３に通知する。ここで、スケジュール管理装置１０３は、ユーザ識別情報に対応付けてスケジュール情報を記憶するコンピュータである。
【００２４】
（３）スケジュール案内装置１０１は、通知に応じてスケジュール管理装置１０３から、取得したユーザ識別情報に対応するスケジュール情報を取得する。図１の例では、スケジュール案内装置１０１は、ユーザＭのユーザ識別情報の通知に応じて、当該ユーザ識別情報に対応するスケジュール情報を取得する。
【００２５】
（４）スケジュール案内装置１０１は、スケジュール管理装置１０３から取得したスケジュール情報であって、時間ｔに対応するスケジュール情報および／または時間ｔに後続する直近のスケジュール情報を出力する。ここで、時間ｔは、非接触センサ１１０がユーザＭのユーザ識別情報を取得した時間であり、例えば、ユーザＭが非接触型ＩＣカード１０２をディスプレイ１２０にかざした時間に対応する。
【００２６】
時間ｔに対応するスケジュール情報は、予定が行われる時間に時間ｔを含むスケジュール情報である。予定が行われる時間は、スケジュール情報に含まれる時間情報から特定される。また、時間ｔに後続する直近のスケジュール情報は、時間ｔ以降で予定が行われる時間が最初に到来するスケジュール情報である。
【００２７】
図１の例では、出力対象のスケジュール情報をスケジュール情報１３０とする。スケジュール情報１３０は、ユーザＭが参加予定の会議を示すスケジュール情報であって、時間ｔ以降で会議が行われる時間が最初に到来するスケジュール情報である。この場合、スケジュール案内装置１０１は、例えば、スケジュール情報１３０をディスプレイ１２０に表示する。
【００２８】
このように、スケジュール案内装置１０１によれば、非接触センサ１１０によりユーザ識別情報を取得したことに応じて、当該ユーザ識別情報を取得した時間ｔに対応するスケジュール情報および／または時間ｔに後続する直近のスケジュール情報を出力することができる。
【００２９】
これにより、ユーザＭは、非接触センサ１１０に非接触型ＩＣカード１０２をかざすといった簡単な非接触操作を行うだけで、自身の現在の予定または次の予定を示すスケジュール情報を確認することができる。このため、自席のＰＣなどでスケジュールを確認する場合に比べて、スケジュール情報の確認にかかる手間を削減することができる。
【００３０】
図１の例では、ユーザＭは、非接触型ＩＣカード１０２を非接触センサ１１０にかざすだけで、自身の次の予定を示すスケジュール情報１３０を確認することができる。これにより、ユーザＭは、次の会議がいつどこで行われるのかを簡単に確認することができ、会議の時間を間違ったり、会議の存在自体を見落としたりして、会議への参加が遅れてしまうことを防ぐことができる。この結果、例えば、会議開始の遅れや会議の長時間化を防いで、会議室の効率的な運用を図ることができる。
【００３１】
また、ユーザＭがデータセンタやサーバルームにおける作業員である場合を例に挙げると、ユーザＭは、非接触型ＩＣカード１０２を非接触センサ１１０にかざすだけで、次の作業をいつどこで行うのかを簡単に確認することができる。これにより、作業時間や作業場所を間違ったり、作業の存在自体を見落としたりして、作業の開始が遅れるのを防ぐことができる。この結果、例えば、サーバの運用・管理に支障が出るのを防いで、データセンタやサーバルームの効率的な運用を図ることができる。
【００３２】
なお、上述した説明では、ユーザ識別情報を非接触型ＩＣカード１０２に記憶することにしたが、これに限らない。例えば、ユーザ識別情報は、ＮＦＣ搭載のスマートフォンなどの情報処理端末に記憶されることにしてもよい。この場合、ユーザＭは、スマートフォンなどを非接触センサ１１０にかざすだけで、自身のユーザ識別情報をスケジュール案内装置１０１に入力することができる。
【００３３】
（スケジュール案内システム２００のシステム構成例）
つぎに、実施の形態にかかるスケジュール案内システム２００について説明する。以下、図１に示したスケジュール案内装置１０１を、スケジュール案内システム２００の第１のスケジュール案内装置＃１〜＃ｎ（ｎは、２以上の自然数）に適用した場合について説明する。
【００３４】
図２は、スケジュール案内システム２００のシステム構成例を示す説明図である。図２において、スケジュール案内システム２００は、スケジュール管理装置１０３と、第１のスケジュール案内装置＃１〜＃ｎと、第２のスケジュール案内装置＄１〜＄ｍ（ｍは、２以上の自然数）と、を含む。スケジュール案内システム２００において、スケジュール管理装置１０３、第１のスケジュール案内装置＃１〜＃ｎおよび第２のスケジュール案内装置＄１〜＄ｍは、有線または無線のネットワーク２１０を介して接続される。ネットワーク２１０は、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどである。
【００３５】
スケジュール管理装置１０３は、スケジュール管理ＤＢ（ＤａｔａＢａｓｅ）２２０および利用状況管理ＤＢ２３０を有し、ユーザ識別情報に対応付けてスケジュール情報を記憶する。スケジュール管理ＤＢ２２０および利用状況管理ＤＢ２３０の記憶内容については、図５および図６を用いて後述する。
【００３６】
第１のスケジュール案内装置＃１〜＃ｎは、最寄り駅ＤＢ２４０をそれぞれ有し、スケジュール情報を出力するコンピュータである。第１のスケジュール案内装置＃１〜＃ｎは、例えば、建物のエントランスや、各階のエレベータ前などの人通りの多いところに設置される。最寄り駅ＤＢ２４０の記憶内容については、図７を用いて後述する。
【００３７】
以下の説明では、第１のスケジュール案内装置＃１〜＃ｎのうちの任意の第１のスケジュール案内装置を「第１のスケジュール案内装置＃ｉ」と表記する場合がある（ｉ＝１，２，…，ｎ）。
【００３８】
第２のスケジュール案内装置＄１〜＄ｍは、利用状況テーブル２５０をそれぞれ有し、施設の利用状況に関する情報を出力するコンピュータである。施設は、利用するのに原則として予約が必要となる施設であり、例えば、会議室、実験室、ホール、体育館などである。また、施設は、例えば、データセンタやサーバルームなどであってもよい。第２のスケジュール案内装置＄１〜＄ｍは、施設内（例えば、会議室の入り口付近）に設定される。利用状況テーブル２５０の記憶内容については、図８を用いて後述する。
【００３９】
以下の説明では、第２のスケジュール案内装置＄１〜＄ｍのうちの任意の第２のスケジュール案内装置を「第２のスケジュール案内装置＄ｊ」と表記する場合がある（ｊ＝１，２，…，ｍ）。
【００４０】
（スケジュール管理装置１０３のハードウェア構成例）
図３は、スケジュール管理装置１０３のハードウェア構成例を示すブロック図である。図３において、スケジュール管理装置１０３は、ＣＰＵ（Ｃｅｎｔｒａｌ  Ｐｒｏｃｅｓｓｉｎｇ  Ｕｎｉｔ）３０１と、メモリ３０２と、Ｉ／Ｆ（Ｉｎｔｅｒｆａｃｅ）３０３と、ディスクドライブ３０４と、ディスク３０５と、を有する。また、各構成部は、バス３００によってそれぞれ接続される。
【００４１】
ここで、ＣＰＵ３０１は、スケジュール管理装置１０３の全体の制御を司る。メモリ３０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、例えば、フラッシュＲＯＭやＲＯＭが各種プログラムを記憶し、ＲＡＭがＣＰＵ３０１のワークエリアとして使用される。メモリ３０２に記憶されるプログラムは、ＣＰＵ３０１にロードされることで、コーディングされている処理をＣＰＵ３０１に実行させる。
【００４２】
Ｉ／Ｆ３０３は、通信回線を通じてネットワーク２１０に接続され、ネットワーク２１０を介して他のコンピュータ（例えば、図２に示した第１のスケジュール案内装置＃１〜＃ｎ、第２のスケジュール案内装置＄１〜＄ｍ）に接続される。Ｉ／Ｆ３０３は、ネットワーク２１０と内部のインターフェースを司り、他のコンピュータからのデータの入出力を制御する。Ｉ／Ｆ３０３には、例えば、モデムやＬＡＮアダプタなどを採用することができる。
【００４３】
ディスクドライブ３０４は、ＣＰＵ３０１の制御に従ってディスク３０５に対するデータのリード／ライトを制御する。ディスク３０５は、ディスクドライブ３０４の制御で書き込まれたデータを記憶する。ディスク３０５としては、例えば、磁気ディスク、光ディスクなどが挙げられる。
【００４４】
なお、スケジュール管理装置１０３は、上述した構成部のほか、例えば、ＳＳＤ（Ｓｏｌｉｄ  Ｓｔａｔｅ  Ｄｒｉｖｅ）、キーボード、マウス、ディスプレイなどを有することにしてもよい。
【００４５】
（第１のスケジュール案内装置＃ｉ等のハードウェア構成例）
つぎに、第１のスケジュール案内装置＃ｉおよび第２のスケジュール案内装置＄ｊのハードウェア構成例について説明する。ここでは、第１のスケジュール案内装置＃ｉおよび第２のスケジュール案内装置＄ｊを「第１のスケジュール案内装置＃ｉ等」と表記する。
【００４６】
図４は、第１のスケジュール案内装置＃ｉ等のハードウェア構成例を示すブロック図である。図４において、第１のスケジュール案内装置＃ｉ等は、ＣＰＵ４０１と、メモリ４０２と、非接触センサ４０３と、人感センサ４０４と、Ｉ／Ｆ４０５と、ディスプレイ４０６と、入力装置４０７と、ディスクドライブ４０８と、ディスク４０９と、を有する。また、各構成部はバス４００によってそれぞれ接続される。
【００４７】
ここで、ＣＰＵ４０１は、第１のスケジュール案内装置＃ｉ等の全体の制御を司る。メモリ４０２は、例えば、ＲＯＭ、ＲＡＭおよびフラッシュＲＯＭなどを有する。具体的には、例えば、フラッシュＲＯＭやＲＯＭが各種プログラムを記憶し、ＲＡＭがＣＰＵ４０１のワークエリアとして使用される。メモリ４０２に記憶されるプログラムは、ＣＰＵ４０１にロードされることで、コーディングされている処理をＣＰＵ４０１に実行させる。
【００４８】
非接触センサ４０３は、非接触でユーザ識別情報を取得するセンサであり、ディスプレイ４０６の背面側に配置されている。ディスプレイ４０６にカードｃｄをかざすことで、非接触センサ４０３により、カードｃｄに記憶されたユーザのユーザ識別情報が取得される。
【００４９】
非接触センサ４０３としては、例えば、ＮＦＣリーダが用いられる。また、カードｃｄは、例えば、各ユーザが保持するＮＦＣ搭載のＩＣカードであり、社員証やゲストカードとして利用される。非接触センサ４０３は、図１に示した非接触センサ１１０に対応する。カードｃｄは、図１に示した非接触型ＩＣカード１０２に対応する。
【００５０】
人感センサ４０４は、人物を検出するセンサである。人感センサ４０４としては、例えば、赤外線、超音波、画像認識などを利用したものがある。具体的には、例えば、人感センサ４０４は、第１のスケジュール案内装置＃ｉ等の所定範囲（例えば、半径１ｍの範囲）内に進入した立った人物を検出する。
【００５１】
Ｉ／Ｆ４０５は、通信回線を通じてネットワーク２１０に接続され、ネットワーク２１０を介して他のコンピュータ（例えば、図２に示したスケジュール管理装置１０３）に接続される。そして、Ｉ／Ｆ４０５は、ネットワーク２１０と自装置内部とのインターフェースを司り、他のコンピュータからのデータの入出力を制御する。
【００５２】
ディスプレイ４０６は、カーソル、アイコンあるいはツールボックスをはじめ、文書、画像、機能情報などのデータを表示する。ディスプレイ４０６としては、例えば、液晶ディスプレイ、プラズマディスプレイ、有機ＥＬ（Ｅｌｅｃｔｒｏｌｕｍｉｎｅｓｃｅｎｃｅ）ディスプレイなどを採用することができる。図１に示したディスプレイ１２０は、例えば、ディスプレイ４０６に対応する。
【００５３】
入力装置４０７は、文字、数字、各種指示などの入力のためのキーを有し、データの入力を行う。入力装置４０７は、例えば、タッチパネル式の入力パッドやテンキーなどであってもよい。
【００５４】
ディスクドライブ４０８は、ＣＰＵ４０１の制御に従ってディスク４０９に対するデータのリード／ライトを制御する。ディスク４０９は、ディスクドライブ４０８の制御で書き込まれたデータを記憶する。ディスク４０９としては、例えば、磁気ディスク、光ディスクなどが挙げられる。
【００５５】
なお、第１のスケジュール案内装置＃ｉ等は、上述した構成部のほかに、例えば、電気信号を音声に変えるスピーカや、画像データや文書データを印刷するプリンタなどを有していてもよい。また、第１のスケジュール案内装置＃ｉ等は、上述した構成部のうち、例えば、人感センサ４０４、ディスクドライブ４０８、ディスク４０９を有さないことにしてもよい。
【００５６】
（スケジュール管理ＤＢ２２０の記憶内容）
つぎに、スケジュール管理装置１０３が有するスケジュール管理ＤＢ２２０の記憶内容について説明する。スケジュール管理ＤＢ２２０は、例えば、図３に示したメモリ３０２、ディスク３０５などの記憶装置により実現される。
【００５７】
図５は、スケジュール管理ＤＢ２２０の記憶内容の一例を示す説明図である。図５において、スケジュール管理ＤＢ２２０は、ユーザＩＤ、氏名、件名、場所、装置ＩＤ、開始予定日時、終了予定日時、参加予定人数および参加予定者のフィールドを有する。各フィールドに情報を設定することで、スケジュール情報（例えば、スケジュール情報５００−１，５００−２）がレコードとして記憶される。
【００５８】
ここで、ユーザＩＤは、スケジュール案内システム２００のユーザを一意に識別する識別子である。ユーザは、例えば、会社の社員やゲストである。氏名は、ユーザの氏名である。件名は、ユーザが行う予定（スケジュール）の件名である。予定としては、例えば、企業における会議や、データセンタ、サーバルームにおける作業などが挙げられる。場所は、予定が行われる場所である。場所としては、例えば、会議が行われる会議室や、作業が行われるデータセンタ内のラック位置などが挙げられる。
【００５９】
装置ＩＤは、予定が行われる場所（施設）に設置された第２のスケジュール案内装置＄ｊを一意に識別する識別子である。開始予定日時は、予定が開始される日時である。終了予定日時は、予定が終了する日時である。参加予定人数は、予定に参加する参加者の数である。予定が作業の場合、予定に参加する参加者は、作業に参加する作業者に相当する。参加予定者は、参加者の氏名およびユーザＩＤを示す。
【００６０】
なお、各ユーザのスケジュール情報は、例えば、各ユーザのＰＣやスマートフォンなどにおいて、スケジュール管理アプリを用いて登録することができる。
【００６１】
（利用状況管理ＤＢ２３０の記憶内容）
つぎに、スケジュール管理装置１０３が有する利用状況管理ＤＢ２３０の記憶内容について説明する。利用状況管理ＤＢ２３０は、例えば、図３に示したメモリ３０２、ディスク３０５などの記憶装置により実現される。
【００６２】
図６は、利用状況管理ＤＢ２３０の記憶内容の一例を示す説明図である。図６において、利用状況管理ＤＢ２３０は、場所、件名、開始予定日時、終了予定日時および利用状況のフィールドを有し、各フィールドに情報を設定することで、利用状況管理情報（例えば、利用状況管理情報６００−１，６００−２）をレコードとして記憶する。
【００６３】
ここで、場所は、予定が行われる施設（例えば、会議室、データセンタ、サーバルームなど）を示す。場所フィールドには、例えば、予定が行われる施設の名称が設定される。件名は、予定の件名である。開始予定日時は、予定が開始される日時である。終了予定日時は、予定が終了する日時である。
【００６４】
利用状況は、予定が行われる場所の利用状況を示す。利用状況としては、例えば、「未使用」、「使用中」、「終了」のいずれかが設定される。利用状況「未使用」は、予定が行われる場所が使用されていないことを示す。利用状況「使用中」は、予定が行われる場所が使用されていることを示す。利用状況「終了」は、予定が行われる場所の使用が終了したことを示す。初期状態では、利用状況は「未使用」である。
【００６５】
また、例えば、予定が作業の場合には、利用状況「未使用」は、作業が行われる場所が使用されていない、すなわち、作業が開始されていないことを示す。利用状況「使用中」は、作業が行われる場所が使用されている、すなわち、作業中であることを示す。利用状況「終了」は、作業が行われる場所の使用が終了した、すなわち、作業が終了したことを示す。
【００６６】
なお、利用状況管理ＤＢ２３０には、例えば、図５に示したスケジュール管理ＤＢ２２０に新たなスケジュール情報が登録されると、その都度、当該スケジュール情報に対応する新たな利用状況管理情報が登録される。
【００６７】
（最寄り駅ＤＢ２４０の記憶内容）
つぎに、第１のスケジュール案内装置＃ｉが有する最寄り駅ＤＢ２４０の記憶内容について説明する。最寄り駅ＤＢ２４０は、例えば、図４に示したメモリ４０２、ディスク４０９などの記憶装置により実現される。
【００６８】
図７は、最寄り駅ＤＢ２４０の記憶内容の一例を示す説明図である。図７において、最寄り駅ＤＢ２４０は、場所および最寄り駅のフィールドを有し、各フィールドに情報を設定することで、最寄り駅情報（例えば、最寄り駅情報７００−１，７００−２）をレコードとして記憶する。
【００６９】
ここで、場所は、会議などに利用可能な施設や作業が行われる施設などである。場所フィールドには、例えば、会議室やデータセンタ、サーバルームなどの施設の名称が設定される。最寄り駅は、場所（施設）から最も近いところにある駅の名称である。例えば、最寄り駅情報７００−１は、場所「川崎研究所Ｓ６０１会議室」の最寄り駅「Ａ駅」を示す。
【００７０】
（利用状況テーブル２５０の記憶内容）
つぎに、第２のスケジュール案内装置＄ｊが有する利用状況テーブル２５０の記憶内容について説明する。利用状況テーブル２５０は、例えば、図４に示したメモリ４０２、ディスク４０９などの記憶装置により実現される。
【００７１】
図８は、利用状況テーブル２５０の記憶内容の一例を示す説明図である。図８において、利用状況テーブル２５０は、件名、開始予定日時、終了予定日時、利用状況および参加状況（参加予定者、参加人数、参加者）のフィールドを有し、各フィールドに情報を設定することで、利用状況情報（例えば、利用状況情報８００−１，８００−２）をレコードとして記憶する。
【００７２】
ここで、件名は、第２のスケジュール案内装置＄ｊが設置された場所で行われる予定の件名である。開始予定日時は、予定が開始される日時である。終了予定日時は、予定が終了する日時である。利用状況は、予定が行われる場所の利用状況を示す。利用状況としては、例えば、「未使用」、「使用中」、「終了」のいずれかが設定される。初期状態では、利用状況は「未使用」である。
【００７３】
参加状況（参加予定者、参加人数、参加者）は、参加者の参加状況を示す。具体的には、参加状況（参加予定者）は、参加者の氏名およびユーザＩＤを示す。参加状況（参加人数）は、現在参加している参加者の数である。初期状態では、参加状況（参加人数）は「０」である。参加状況（参加者）は、現在参加している参加者の氏名およびユーザＩＤを示す。初期状態では、参加状況（参加者）は「−（Ｎｕｌｌ）」である。
【００７４】
（第１のスケジュール案内装置＃ｉの機能的構成例）
つぎに、第１のスケジュール案内装置＃ｉの機能的構成例について説明する。
【００７５】
図９は、第１のスケジュール案内装置＃ｉの機能的構成例を示すブロック図である。図９において、第１のスケジュール案内装置＃ｉは、取得部９０１と、通知部９０２と、出力部９０３と、を含む構成である。取得部９０１〜出力部９０３は制御部となる機能であり、具体的には、例えば、図４に示したメモリ４０２、ディスク４０９などの記憶装置に記憶されたプログラムをＣＰＵ４０１に実行させることにより、または、Ｉ／Ｆ４０５により、その機能を実現する。各機能部の処理結果は、例えば、メモリ４０２、ディスク４０９などの記憶装置に記憶される。
【００７６】
取得部９０１は、非接触センサ４０３により、非接触でユーザ識別情報を取得する。具体的には、例えば、取得部９０１は、非接触センサ４０３により、図４に示したディスプレイ４０６にかざされたカードｃｄからユーザのユーザ識別情報を取得する。
【００７７】
ここで、ユーザ識別情報は、ユーザを一意に識別する情報であり、例えば、ユーザＩＤ、パスワードおよびユーザ種別を含む。ユーザＩＤは、ユーザを一意に識別する識別子である。パスワードは、ユーザのパスワードである。ユーザ種別は、ユーザの種別を示す情報である。ユーザ種別としては、例えば、社員やゲストなどがある。
【００７８】
通知部９０２は、取得されたユーザ識別情報をスケジュール管理装置１０３に通知する。スケジュール管理装置１０３は、第１のスケジュール案内装置＃ｉからユーザ識別情報が通知されると、例えば、スケジュール管理ＤＢ２２０（例えば、図５参照）から、通知されたユーザ識別情報に対応するスケジュール情報を抽出する。
【００７９】
通知されたユーザ識別情報に対応するスケジュール情報とは、例えば、当該ユーザ識別情報に含まれるユーザＩＤが設定されたスケジュール情報である。そして、スケジュール管理装置１０３は、抽出したスケジュール情報を第１のスケジュール案内装置＃ｉに送信する。
【００８０】
なお、スケジュール管理装置１０３は、通知されたユーザ識別情報に含まれるユーザＩＤおよびパスワードを用いて、ユーザの認証処理を行うことにしてもよい。そして、スケジュール管理装置１０３は、ユーザを認証した場合に、ユーザ識別情報に対応するスケジュール情報を抽出することにしてもよい。
【００８１】
また、取得部９０１は、スケジュール管理装置１０３からスケジュール情報を取得する。具体的には、例えば、取得部９０１は、取得したユーザ識別情報の通知に応じて、スケジュール管理装置１０３から当該ユーザ識別情報に対応するスケジュール情報を受信することにより、当該スケジュール情報を取得する。
【００８２】
出力部９０３は、ユーザ識別情報の通知に応じてスケジュール管理装置１０３から取得されたスケジュール情報であって、時間ｔに対応するスケジュール情報および／または時間ｔに後続する直近のスケジュール情報を出力する。ここで、時間ｔは、非接触センサ４０３がユーザ識別情報を取得した時間であり、例えば、ユーザがカードｃｄをディスプレイ４０６にかざした時間に対応する。
【００８３】
時間ｔに対応するスケジュール情報は、予定が行われる時間に時間ｔを含むスケジュール情報である。予定が行われる時間は、例えば、スケジュール情報に含まれる開始予定日時から終了予定日時までの期間である。また、時間ｔに後続する直近のスケジュール情報は、例えば、時間ｔ以降で開始予定日時が最初に到来するスケジュール情報である。
【００８４】
具体的には、例えば、出力部９０３は、時間ｔに対応するスケジュール情報および／または時間ｔに後続する直近のスケジュール情報を含むスケジュール画面を、ディスプレイ４０６に表示することにしてもよい。スケジュール画面の画面例については、図１１を用いて後述する。
【００８５】
なお、出力部９０３の出力形式としては、ディスプレイ４０６への表示のほかに、例えば、不図示のスピーカからの音声出力、不図示のプリンタへの印刷出力、Ｉ／Ｆ４０５による外部装置への送信などがある。
【００８６】
また、出力部９０３は、ユーザ識別情報を非接触送信させることを促す出力を行うことにしてもよい。具体的には、例えば、出力部９０３は、図４に示した人感センサ４０４が人物を検知した場合に、ユーザ識別情報を非接触送信させることを促す出力を行うことにしてもよい。
【００８７】
より具体的には、例えば、出力部９０３は、ユーザ識別情報を非接触送信させることを促すメッセージを含む入力画面を、ディスプレイ４０６に表示することにしてもよい。ユーザ識別情報を非接触送信させることを促すメッセージを含む入力画面の画面例については、図１０を用いて後述する。
【００８８】
また、例えば、出力部９０３は、ユーザ識別情報を非接触送信させることを促すメッセージを含む入力画面をディスプレイ４０６に点滅表示することにしてもよい。また、例えば、出力部９０３は、人感センサ４０４が人物を検知したことに応じて、ユーザ識別情報を非接触送信させることを促すメッセージを、不図示のスピーカから音声出力することにしてもよい。
【００８９】
また、出力部９０３は、場所情報を含むスケジュール情報を出力する場合に、当該場所情報が示す場所への経路案内を出力することにしてもよい。ここで、経路案内とは、第１のスケジュール案内装置＃ｉの設置位置から、場所情報が示す場所への経路を案内するための情報である。
【００９０】
具体的には、例えば、出力部９０３は、場所情報が示す場所が自装置と同一フロアであれば、自装置から当該場所への経路案内を出力することにしてもよい。また、例えば、出力部９０３は、場所情報が示す場所が自装置と異なるフロアであれば、自装置からエレベータ（または、階段）への経路案内を出力することにしてもよい。また、例えば、出力部９０３は、場所情報が示す場所が自装置と異なる建物であれば、自装置の建物から当該場所の建物への経路案内を出力することにしてもよい。
【００９１】
なお、各場所への経路案内の情報は、例えば、各場所と対応付けてメモリ４０２やディスク４０９などの記憶装置に記憶されている。
【００９２】
より具体的には、例えば、出力部９０３は、経路案内の表示指示を受け付けたことに応じて、スケジュール情報に含まれる場所への経路案内を含む経路案内画面を、ディスプレイ４０６に表示することにしてもよい。経路案内の表示指示は、例えば、後述の図１１に示すスケジュール画面１１００において、図４に示した入力装置４０７を用いてユーザの操作入力により行われる。経路案内画面の画面例については、図１２を用いて後述する。
【００９３】
また、出力部９０３は、取得されたユーザ識別情報が属するユーザ種別に応じて、場所情報が示す場所への詳細度の異なる経路案内を出力することにしてもよい。具体的には、例えば、出力部９０３は、ユーザ識別情報に含まれるユーザ種別が「社員」の場合、スケジュール情報に含まれる場所への簡易的な経路案内を含む経路案内画面を、ディスプレイ４０６に表示することにしてもよい。
【００９４】
ここで、簡易的な経路案内とは、詳細な経路案内に比べて情報量が少ない経路案内であり、例えば、スケジュール情報に含まれる場所の大まかな位置を示す情報である。なお、簡易的な経路案内を含む経路案内画面の画面例については、図１３を用いて後述する。
【００９５】
また、例えば、出力部９０３は、ユーザ識別情報に含まれるユーザ種別が「ゲスト」の場合には、スケジュール情報に含まれる場所への詳細な経路案内を含む経路案内画面を、ディスプレイ４０６に表示することにしてもよい。
【００９６】
ここで、詳細な経路案内とは、簡易的な経路案内に比べて情報量の多い経路案内であり、例えば、マップ上でスケジュール情報に含まれる場所への経路を示す情報である。なお、詳細な経路案内を含む経路案内画面の画面例については、図１２を用いて後述する。
【００９７】
また、出力部９０３は、非接触センサ４０３の設置場所から場所情報が示す場所までの経路に含まれる交通機関を利用した経路案内を出力することにしてもよい。具体的には、例えば、出力部９０３は、図７に示した最寄り駅ＤＢ２４０を参照して、場所情報が示す場所に対応する最寄り駅を特定する。
【００９８】
つぎに、出力部９０３は、特定した最寄り駅が、非接触センサ４０３（第１のスケジュール案内装置＃ｉ）の設置場所に対応する最寄り駅と一致するか否かを判断する。なお、非接触センサ４０３の設置場所に対応する最寄り駅を特定する情報は、例えば、予めメモリ４０２やディスク４０９などの記憶装置に記憶されている。
【００９９】
ここで、最寄り駅が異なる場合、出力部９０３は、既存の経路探索サービスなどを利用して、非接触センサ４０３の設置場所に対応する最寄り駅から、場所情報が示す場所に対応する最寄り駅までの経路を探索する。この際、出発時刻を現在時刻から所定時間経過した時刻に設定することにしてもよい。所定時間は、例えば、非接触センサ４０３の設置場所から、当該設置場所に対応する最寄り駅に徒歩で移動するのにかかる所要時間を考慮して設定される。
【０１００】
そして、出力部９０３は、探索した経路に基づいて、交通機関を利用した経路案内を含む経路案内画面を、ディスプレイ４０６に表示することにしてもよい。交通機関を利用した経路案内を含む経路案内画面の画面例については、図１４を用いて後述する。
【０１０１】
（入力画面の画面例）
つぎに、第１のスケジュール案内装置＃ｉのディスプレイ４０６に表示される入力画面の画面例について説明する。
【０１０２】
図１０は、入力画面の画面例を示す説明図である。図１０において、入力画面１０００は、ユーザ識別情報を非接触送信させることを促すメッセージ１０１０を含む操作画面である。入力画面１０００によれば、ディスプレイ４０６にカードｃｄをかざして、カードｃｄに記憶されたユーザ識別情報を非接触送信させることを促すことができる。
【０１０３】
ユーザは、入力画面１０００において、ディスプレイ４０６にカードｃｄをかざすことにより、カードｃｄに記憶された自身のユーザ識別情報を、第１のスケジュール案内装置＃ｉに入力することができる。図１０の例では、カードｃｄをかざすと、ユーザＩＤ「Ｐ１」のユーザＰ１（氏名：富士太郎）のユーザ識別情報が入力されて、ディスプレイ４０６の表示内容が、図１１に示すスケジュール画面１１００に遷移する。
【０１０４】
（スケジュール画面の画面例）
つぎに、第１のスケジュール案内装置＃ｉのディスプレイ４０６に表示される入力画面の画面例について説明する。なお、以下の説明では、各種操作画面に対してユーザが行う操作としてタップ操作を例に挙げて説明する。
【０１０５】
図１１は、スケジュール画面の画面例を示す説明図である。図１１において、スケジュール画面１１００は、スケジュール情報１１１０を含む操作画面である。スケジュール情報１１１０は、図１０に示した入力画面１０００においてユーザＰ１がカードｃｄをディスプレイ４０６にかざした時間ｔに後続する直近のスケジュール情報である。
【０１０６】
スケジュール画面１１００によれば、ユーザＰ１は、現在時刻以降の直近の予定として、件名「第５回研究所ハッカソン」の会議が時間「９：００〜１１：００」に場所「川崎研究所Ｓ６０１会議室」で行われることを確認することができる。
【０１０７】
スケジュール画面１１００において、ボタン１１２０，１１３０をタップすると、出力対象のスケジュール情報を切り替えることができる。ボタン１１２０は、出力中のスケジュール情報に後続するスケジュール情報への出力の切り替え指示を受け付ける操作部である。第１のスケジュール案内装置＃ｉは、ボタン１１２０がタップされると、スケジュール情報１１１０に後続するスケジュール情報を表示する。
【０１０８】
また、ボタン１１３０は、出力中のスケジュール情報の直前のスケジュール情報への出力の切り替え指示を受け付ける操作部である。第１のスケジュール案内装置＃ｉは、ボタン１１３０がタップされると、スケジュール情報１１１０の直前のスケジュール情報を表示する。これにより、ユーザＰ１は、ボタン１１２０，１１３０をタップするといった簡単な操作を行うだけで、自身の前後のスケジュール情報を確認することができる。
【０１０９】
また、スケジュール画面１１００において、ボタン１１４０をタップすると、例えば、ユーザＰ１のユーザ種別に応じて、場所「川崎研究所Ｓ６０１会議室」への詳細度の異なる経路案内を含む経路案内画面（後述の図１２、図１３参照）を表示することができる。ボタン１１４０は、経路案内の表示指示を受け付ける操作部である。
【０１１０】
なお、スケジュール画面１１００において、例えば、ディスプレイ４０６をダブルタップすると、表示終了指示が入力されて、スケジュール画面１１００の表示を終了させることができる。
【０１１１】
（経路案内画面の画面例）
つぎに、図１２〜図１４を用いて、第１のスケジュール案内装置＃ｉのディスプレイ４０６に表示される経路案内画面の画面例について説明する。ここでは、まず、ユーザＰ１のユーザ種別が「ゲスト」である場合を例に挙げて、場所「川崎研究所Ｓ６０１会議室」への詳細な経路案内を含む経路案内画面について説明する。
【０１１２】
図１２は、経路案内画面の画面例を示す説明図（その１）である。図１２において、経路案内画面１２００は、第１のスケジュール案内装置＃ｉの設置位置から場所「川崎研究所Ｓ６０１会議室」への詳細な経路案内１２１０を含む画面である。
【０１１３】
経路案内画面１２００によれば、ユーザＰ１は、経路ｄ１，ｄ２に沿って移動することで、場所「川崎研究所Ｓ６０１会議室」へ到達できることがわかる。なお、経路案内画面１２００において、例えば、ディスプレイ４０６をダブルタップすると、表示終了指示が入力されて、経路案内画面１２００の表示を終了させることができる。
【０１１４】
つぎに、ユーザＰ１のユーザ種別が「社員」である場合を例に挙げて、場所「川崎研究所Ｓ６０１会議室」への簡易的な経路案内を含む経路案内画面について説明する。
【０１１５】
図１３は、経路案内画面の画面例を示す説明図（その２）である。図１３において、経路案内画面１３００は、第１のスケジュール案内装置＃ｉの設置位置から場所「川崎研究所Ｓ６０１会議室」への簡易的な経路案内１３１０を含む画面である。
【０１１６】
経路案内画面１３００によれば、ユーザＰ１は、突き当たりを右に進めば、場所「川崎研究所Ｓ６０１会議室」へ到達できることがわかる。このように、建物内の各施設の位置などを把握している社員のようなユーザに対しては、直感的にわかりやすい表示で経路案内を行うことができる。
【０１１７】
つぎに、場所「川崎研究所Ｓ６０１会議室」までの経路に含まれる交通機関を利用した経路案内を含む経路案内画面について説明する。
【０１１８】
図１４は、経路案内画面の画面例を示す説明図（その３）である。図１４において、経路案内画面１４００は、場所「川崎研究所Ｓ６０１会議室」までの経路に含まれる交通機関を利用した経路案内１４１０を含む画面である。
【０１１９】
経路案内画面１４００によれば、ユーザＰ１は、交通機関を利用して場所「川崎研究所Ｓ６０１会議室」へ到達できる経路を確認することができる。具体的には、ユーザＰ１は、最寄り駅のＢ駅を８時４５分に発車する電車に乗れば、場所「川崎研究所Ｓ６０１会議室」の最寄り駅であるＡ駅に８時４８分に到着することがわかり、経路探索の手間を省くことができる。
【０１２０】
（第２のスケジュール案内装置＄ｊの機能的構成例）
つぎに、第２のスケジュール案内装置＄ｊの機能的構成例について説明する。
【０１２１】
図１５は、第２のスケジュール案内装置＄ｊの機能的構成例を示すブロック図である。図１５において、第２のスケジュール案内装置＄ｊは、取得部１５０１と、通知部１５０２と、出力部１５０３と、を含む構成である。取得部１５０１〜出力部１５０３は制御部となる機能であり、具体的には、例えば、図４に示したメモリ４０２、ディスク４０９などの記憶装置に記憶されたプログラムをＣＰＵ４０１に実行させることにより、または、Ｉ／Ｆ４０５により、その機能を実現する。各機能部の処理結果は、例えば、メモリ４０２、ディスク４０９などの記憶装置に記憶される。
【０１２２】
取得部１５０１は、非接触センサ４０３により、非接触でユーザ識別情報を取得する。具体的には、例えば、取得部１５０１は、非接触センサ４０３により、図４に示したディスプレイ４０６にかざされたカードｃｄからユーザのユーザ識別情報を取得する。
【０１２３】
通知部１５０２は、取得されたユーザ識別情報と、自装置の識別情報または設置位置とをスケジュール管理装置１０３に通知する。ここで、自装置の識別情報とは、例えば、第２のスケジュール案内装置＄ｊの装置ＩＤである。また、自装置の設置位置とは、第２のスケジュール案内装置＄ｊが設置された場所を特定する情報であり、例えば、第２のスケジュール案内装置＄ｊが設置された会議室やデータセンタ、サーバルームなどの施設の名称である。自装置の識別情報または設置位置は、例えば、メモリ４０２やディスク４０９などの記憶装置に記憶されている。
【０１２４】
スケジュール管理装置１０３は、第２のスケジュール案内装置＄ｊからユーザ識別情報が通知されると、例えば、スケジュール管理ＤＢ２２０から、当該ユーザ識別情報に対応するスケジュール情報のうち、時間ｔに対応するスケジュール情報および／または時間ｔに後続する直近のスケジュール情報を抽出する。ここで、時間ｔは、通知されたユーザ識別情報を第２のスケジュール案内装置＄ｊの非接触センサ４０３が取得した時間であり、例えば、ユーザが第２のスケジュール案内装置＄ｊのカードｃｄをディスプレイ４０６にかざした時間に対応する。
【０１２５】
なお、時間ｔを特定する情報は、例えば、第２のスケジュール案内装置＄ｊから通知されるユーザ識別情報に含まれていてもよい。また、スケジュール管理装置１０３は、ユーザ識別情報が通知された時間（例えば、日時）を、時間ｔとして特定することにしてもよい。
【０１２６】
以下の説明では、時間ｔに対応するスケジュール情報および／または時間ｔに後続する直近のスケジュール情報を「スケジュール情報ＳＣ」と表記する場合がある。また、スケジュール情報ＳＣに含まれる場所を「場所Ｐ」と表記する場合がある。
【０１２７】
つぎに、スケジュール管理装置１０３は、抽出したスケジュール情報ＳＣに含まれる場所Ｐが、通知された第２のスケジュール案内装置＄ｊの識別情報または設置位置に対応するか否かを判断する。例えば、第２のスケジュール案内装置＄ｊの装置ＩＤが通知された場合、スケジュール管理装置１０３は、スケジュール情報ＳＣに含まれる装置ＩＤが、通知された装置ＩＤと一致するか否かを判断する。ここで、装置ＩＤが一致する場合に、スケジュール管理装置１０３は、スケジュール情報ＳＣに含まれる場所Ｐが、通知された第２のスケジュール案内装置＄ｊの識別情報または設置位置に対応すると判断する。一方、装置ＩＤが不一致の場合は、スケジュール管理装置１０３は、スケジュール情報ＳＣに含まれる場所Ｐが、通知された第２のスケジュール案内装置＄ｊの識別情報または設置位置に対応しないと判断する。
【０１２８】
また、例えば、第２のスケジュール案内装置＄ｊが設置された施設の名称が通知された場合、スケジュール管理装置１０３は、抽出したスケジュール情報ＳＣに含まれる場所Ｐが、通知された施設の名称と一致するか否かを判断する。ここで、施設の名称と一致する場合に、スケジュール管理装置１０３は、スケジュール情報ＳＣに含まれる場所Ｐが、通知された第２のスケジュール案内装置＄ｊの識別情報または設置位置に対応すると判断する。一方、施設の名称と不一致の場合は、スケジュール管理装置１０３は、スケジュール情報ＳＣに含まれる場所Ｐが、通知された第２のスケジュール案内装置＄ｊの識別情報または設置位置に対応しないと判断する。
【０１２９】
つぎに、スケジュール管理装置１０３は、抽出したスケジュール情報ＳＣに含まれる場所Ｐが、通知された第２のスケジュール案内装置＄ｊの識別情報または設置位置に対応する場合、場所Ｐの利用状況を更新する。具体的には、例えば、スケジュール管理装置１０３は、利用状況管理ＤＢ２３０（例えば、図６参照）を参照して、場所Ｐに対応する利用状況管理情報を特定する。
【０１３０】
場所Ｐに対応する利用状況管理情報とは、場所、件名、開始予定日時および終了予定日時が、スケジュール情報ＳＣと一致する利用状況管理情報である。つぎに、スケジュール管理装置１０３は、特定した利用状況管理情報の利用状況に「使用中」を設定する。そして、スケジュール管理装置１０３は、場所Ｐの利用状況を更新したことを示す更新通知を、第２のスケジュール案内装置＄ｊに送信する。
【０１３１】
取得部１５０１は、場所Ｐの利用状況を更新したことを示す更新通知を取得する。具体的には、例えば、取得部１５０１は、スケジュール管理装置１０３から場所Ｐの利用状況を更新したことを示す更新通知を受信することにより、当該更新通知を取得する。
【０１３２】
出力部１５０３は、場所Ｐの利用状況を更新したことを示す更新通知が取得されたことに応じて、場所Ｐの利用状況が更新された旨の出力を行う。出力部１５０３の出力形式としては、例えば、ディスプレイ４０６への表示、不図示のスピーカからの音声出力などがある。
【０１３３】
また、出力部１５０３は、ユーザ識別情報を非接触送信させることを促す出力を行うことにしてもよい。具体的には、例えば、出力部１５０３は、図４に示した人感センサ４０４が人物を検知した場合に、ユーザ識別情報を非接触送信させることを促す出力を行うことにしてもよい。
【０１３４】
より具体的には、例えば、出力部１５０３は、ユーザ識別情報を非接触送信させることを促すメッセージを含む利用状況確認画面を、ディスプレイ４０６に表示することにしてもよい。また、利用状況確認画面には、例えば、第２のスケジュール案内装置＄ｊが設置された場所における現在時刻（例えば、人感センサ４０４が人物を検知した日時）に対応するスケジュール情報および／または現在時刻に後続する直近のスケジュール情報が含まれていてもよい。
【０１３５】
利用状況確認画面の画面例については、図１６〜図２２を用いて後述する。なお、現在時刻に対応するスケジュール情報および／または現在時刻に後続する直近のスケジュール情報は、スケジュール管理装置１０３から取得される。
【０１３６】
また、出力部１５０３は、スケジュール情報ＳＣに基づく場所Ｐの利用可能時間を出力することにしてもよい。場所Ｐの利用可能時間は、例えば、スケジュール情報ＳＣの開始予定日時と終了予定日時とから特定される。予定が作業の場合には、場所Ｐの利用可能時間は、場所Ｐの作業時間に相当する。具体的には、例えば、出力部１５０３は、場所Ｐの利用可能時間を含む利用状況確認画面を、ディスプレイ４０６に表示することにしてもよい。
【０１３７】
また、出力部１５０３は、場所Ｐの利用可能時間が経過する所定時間前において場所Ｐの利用状況が更新されない場合、場所Ｐの利用時間の延長を促す出力を行うことにしてもよい。所定時間は、任意に設定可能であり、例えば、５分程度の時間に設定される。具体的には、例えば、出力部１５０３は、延長申請を促すメッセージを含む利用状況確認画面を、ディスプレイ４０６に表示することにしてもよい。
【０１３８】
延長申請を促すメッセージを含む利用状況確認画面の画面例については、図１９を用いて後述する。
【０１３９】
なお、第２のスケジュール案内装置＄ｊは、場所Ｐの延長可能時間をスケジュール管理装置１０３に問い合わせることにしてもよい。延長可能時間とは、場所Ｐの終了予定日時に続く時間であって、場所Ｐを利用可能な時間（他の予約がない空きの時間）である。また、予定が作業の場合には、場所Ｐの延長可能時間は、場所Ｐの終了予定日時に続く時間であって、場所Ｐで作業可能な時間（他の作業が予定されていない空きの時間）である。この場合、出力部１５０３は、延長可能時間が存在する場合に、場所Ｐの利用時間の延長を促す出力を行うことにしてもよい。
【０１４０】
また、出力部１５０３は、非接触センサ４０３が取得したユーザ識別情報の数に応じて、スケジュール情報ＳＣが示す予定（スケジュール）への参加状況を出力することにしてもよい。具体的には、例えば、出力部１５０３は、参加状況情報を含む利用状況確認画面を、ディスプレイ４０６に表示することにしてもよい。
【０１４１】
ここで、参加状況情報は、例えば、非接触センサ４０３が取得した参加予定者のユーザ識別情報の数（参加人数）と、参加予定人数とを含む情報である。また、参加状況情報には、非接触センサ４０３が取得したユーザ識別情報と、スケジュール情報ＳＣが示す予定（スケジュール）への参加予定ユーザ（参加予定者）を示すユーザ識別情報との一致判定結果が含まれていてもよい。
【０１４２】
参加状況情報を含む利用状況確認画面の画面例については、図１６〜図１８を用いて後述する。
【０１４３】
また、取得部１５０１は、スケジュール管理装置１０３に通知されたユーザ識別情報に対応するスケジュール情報を、スケジュール管理装置１０３から取得することにしてもよい。そして、出力部１５０３は、取得したスケジュール情報のうちのスケジュール情報ＳＣを出力することにしてもよい。さらに、出力部１５０３は、スケジュール情報ＳＣに後続するスケジュール情報への出力の切り替え指示を受け付けたことに応じて、当該後続するスケジュール情報を出力することにしてもよい。
【０１４４】
（利用状況確認画面の画面例）
つぎに、図１６〜図２２を用いて、第２のスケジュール案内装置＄ｊのディスプレイ４０６に表示される利用状況確認画面の画面例について説明する。
【０１４５】
図１６は、利用状況確認画面の画面例を示す説明図（その１）である。図１６において、利用状況確認画面１６００は、ユーザ識別情報を非接触送信させることを促すメッセージ１６１０を含む操作画面である。利用状況確認画面１６００によれば、ディスプレイ４０６上の画面左上にカードｃｄをかざして、カードｃｄに記憶されたユーザ識別情報を非接触送信させることを促すことができる。
【０１４６】
ユーザは、利用状況確認画面１６００において、ディスプレイ４０６上の画面左上にカードｃｄをかざすことにより、カードｃｄに記憶された自身のユーザ識別情報を、第２のスケジュール案内装置＄ｊに入力することができる。
【０１４７】
また、利用状況確認画面１６００は、スケジュール情報１６２０と、参加状況情報１６３０と、を含む。スケジュール情報１６２０は、第２のスケジュール案内装置＄ｊの設置位置に対応する場所（川崎研究所Ｓ６０１会議室）における現在時刻に後続する直近のスケジュール情報である。参加状況情報１６３０は、場所（川崎研究所Ｓ６０１会議室）で行われる次の予定への参加状況を示す情報である。
【０１４８】
スケジュール情報１６２０によれば、ユーザは、場所（川崎研究所Ｓ６０１会議室）で行われる次の予定として、件名「第５回研究所ハッカソン」の会議が時間「９：００〜１１：００」に行われることを確認することができる。参加状況情報１６３０によれば、ユーザは、参加予定者（図１６中、「出席者」）の数が５名で、現在の参加人数が０名であることがわかる。さらに、ユーザは、参加予定者の氏名を確認することができる。
【０１４９】
また、利用状況確認画面１６００において、例えば、参加予定者であるユーザＰ１（氏名：富士太郎）のユーザ識別情報が入力されると、ディスプレイ４０６の表示内容が、図１７に示すような利用状況確認画面１７００に遷移する。
【０１５０】
図１７は、利用状況確認画面の画面例を示す説明図（その２）である。図１７において、利用状況確認画面１７００は、場所Ｐ「川崎研究所Ｓ６０１会議室」の利用状況が更新された旨のメッセージ１７１０を含む操作画面である。メッセージ１７１０によれば、ユーザＰ１は、入室が完了して、場所Ｐ「川崎研究所Ｓ６０１会議室」の利用状況が「使用中」に更新されたことを把握することができる。
【０１５１】
また、利用状況確認画面１７００は、スケジュール情報１７２０と、参加状況情報１７３０と、を含む。スケジュール情報１７２０は、時間ｔに対応するスケジュール情報ＳＣである。スケジュール情報１７２０によれば、ユーザＰ１は、場所Ｐ「川崎研究所Ｓ６０１会議室」において、件名「第５回研究所ハッカソン」の会議が時間「９：００〜１１：００」に行われることを確認することができる。
【０１５２】
また、この時間「９：００〜１１：００」は、場所（川崎研究所Ｓ６０１会議室）の利用可能時間に対応している。このため、ユーザＰ１は、場所（川崎研究所Ｓ６０１会議室）を、件名「第５回研究所ハッカソン」の会議の目的で１１時００分まで利用可能であることを把握することができる。
【０１５３】
参加状況情報１７３０は、スケジュール情報１７２０が示す予定への参加状況を示す情報である。具体的には、参加状況情報１７３０は、非接触センサ４０３が取得した参加予定者のユーザ識別情報の数（参加人数）と、参加予定人数とを含む。また、参加状況情報１７３０は、非接触センサ４０３が取得したユーザ識別情報と、スケジュール情報ＳＣが示す予定への参加予定ユーザ（参加予定者）を示すユーザ識別情報との一致判定結果を含む。より詳細に説明すると、スケジュール情報ＳＣが示す予定への参加予定者のうち、非接触センサ４０３が取得したユーザ識別情報と一致するユーザ識別情報が示す参加予定者に対応する画像ｐ１の色が変更されている。
【０１５４】
参加状況情報１７３０によれば、ユーザＰ１は、参加予定者の数が５名で、現在の参加人数が１名であることがわかる。さらに、ユーザＰ１は、各参加予定者に対応する画像ｐ１〜ｐ５のうち、ユーザＰ１（氏名：富士太郎）に対応する画像ｐ１の色のみ変更されているため、現在の参加者が自分一人であることを確認することができる。
【０１５５】
また、利用状況確認画面１７００において、例えば、参加予定者である全てのユーザのユーザ識別情報が入力されると、ディスプレイ４０６の表示内容が、図１８に示すような利用状況確認画面１８００に遷移する。
【０１５６】
図１８は、利用状況確認画面の画面例を示す説明図（その３）である。図１８において、利用状況確認画面１８００は、場所Ｐ「川崎研究所Ｓ６０１会議室」についてのチェックアウト操作を促すメッセージ１８１０を含む操作画面である。
【０１５７】
メッセージ１８１０によれば、各ユーザは、ディスプレイ４０６上の画面左上にカードｃｄをかざすことで、チェックアウト操作を行うことができることがわかる。また、利用状況確認画面１８００は、参加状況情報１８２０を含む。参加状況情報１８２０によれば、各ユーザは、参加予定者である全てのユーザが会議に参加していることがわかる。
【０１５８】
なお、チェックアウト操作が行われると、第２のスケジュール案内装置＄ｊからスケジュール管理装置１０３に対して、チェックアウト操作が行われたことを示す情報が送信される。この結果、スケジュール管理装置１０３において、場所Ｐ「川崎研究所Ｓ６０１会議室」の利用状況が「終了」に更新される。
【０１５９】
また、図１７に示した利用状況確認画面１７００において、例えば、メッセージ１７１０をタップするなどの所定の操作を行うと、図１８に示したようなメッセージ１８１０が切り替わって表示されることにしてもよい。これにより、参加予定者の全員が揃っていなくてもチェックアウト操作を行うことができる。
【０１６０】
また、場所Ｐ「川崎研究所Ｓ６０１会議室」の利用可能時間が経過する所定時間前において場所Ｐ「川崎研究所Ｓ６０１会議室」の利用状況が更新されない場合、ディスプレイ４０６の表示内容が、図１９に示すような利用状況確認画面１９００に遷移する。具体的には、例えば、利用状況確認画面１８００において、場所Ｐ「川崎研究所Ｓ６０１会議室」の利用可能時間が経過する５分前においてチェックアウト操作が行われない場合に、図１９に示すような利用状況確認画面１９００が表示される。
【０１６１】
図１９は、利用状況確認画面の画面例を示す説明図（その４）である。図１９において、利用状況確認画面１９００は、延長申請を促すメッセージ１９１０を含む操作画面である。メッセージ１９１０によれば、各ユーザは、場所Ｐ「川崎研究所Ｓ６０１会議室」の利用可能時間の終了が迫っており、場所Ｐ「川崎研究所Ｓ６０１会議室」を引き続き使用する場合には、延長申請を行う必要があることがわかる。
【０１６２】
また、利用状況確認画面１９００は、スケジュール情報１９２０を含む。スケジュール情報１９２０には、場所Ｐ「川崎研究所Ｓ６０１会議室」の延長可能時間が表示されている。スケジュール情報１９２０によれば、各ユーザは、どのくらい利用時間を延長することができるのかを確認することができる。
【０１６３】
また、利用状況確認画面１９００において、延長申請ボタン１９３０をタップすると、図２０に示すような、延長申請画面２０００が表示される。
【０１６４】
図２０は、利用状況確認画面の画面例を示す説明図（その５）である。図２０において、利用状況確認画面１９００は、延長申請を行うための延長申請画面２０００を含む。延長申請画面２０００において、ボックス２０１０に延長時間（開始、終了）を入力して、予約確定ボタン２０２０をタップすると、場所Ｐ「川崎研究所Ｓ６０１会議室」の延長申請を行うことができる。
【０１６５】
また、場所Ｐ「川崎研究所Ｓ６０１会議室」の延長申請が行われると、ディスプレイ４０６の表示内容が、図２１に示すような利用状況確認画面２１００に遷移する。
【０１６６】
図２１は、利用状況確認画面の画面例を示す説明図（その６）である。図２１において、利用状況確認画面２１００は、スケジュール情報２１１０を含む操作画面である。スケジュール情報２１１０によれば、各ユーザは、場所Ｐ「川崎研究所Ｓ６０１会議室」の利用可能時間が１２時００分まで延長されたことを確認することができる。
【０１６７】
また、利用状況確認画面２１００において、チェックアウト操作が行われると、ディスプレイ４０６の表示内容が、図２２に示すような利用状況確認画面２２００に遷移する。
【０１６８】
図２２は、利用状況確認画面の画面例を示す説明図（その７）である。図２２において、利用状況確認画面２２００は、場所Ｐ「川崎研究所Ｓ６０１会議室」の利用状況が更新された旨のメッセージ２２１０を含む操作画面である。メッセージ２２１０によれば、各ユーザは、退室が完了して、場所Ｐ「川崎研究所Ｓ６０１会議室」の利用状況が「終了」に更新されたことを把握することができる。
【０１６９】
なお、図１６〜図２２に示した各利用状況確認画面において、所定の操作が行われると、第２のスケジュール案内装置＄ｊは、図１０に示したような入力画面１０００をディスプレイ４０６に表示することにしてもよい。例えば、第２のスケジュール案内装置＄ｊは、利用状況確認画面２２００においてメッセージ２２１０がダブルタップされると、入力画面１０００をディスプレイ４０６に表示することにしてもよい。
【０１７０】
そして、第２のスケジュール案内装置＄ｊは、入力画面１０００において、ユーザ識別情報が入力されると、第１のスケジュール案内装置＃ｉと同様の処理を行うことにしてもよい。具体的には、例えば、第２のスケジュール案内装置＄ｊは、入力画面１０００において、ユーザＰ１のユーザ識別情報が入力されると、図１１に示したようなスケジュール画面１１００をディスプレイ４０６に表示することにしてもよい。
【０１７１】
ただし、第２のスケジュール案内装置＄ｊにより行われる、入力画面１０００においてユーザ識別情報が入力された場合の具体的な処理内容については、第１のスケジュール案内装置＃ｉと同様のため、ここでは詳細な説明を省略する。
【０１７２】
（利用状況一覧画面の画面例）
つぎに、スケジュール管理装置１０３により生成される利用状況一覧画面の画面例について説明する。スケジュール管理装置１０３は、例えば、利用状況管理ＤＢ２３０を参照して、利用状況一覧画面を生成する。利用状況一覧画面は、例えば、スケジュール案内システム２００の各ユーザのＰＣやスマートフォンなどに表示される。
【０１７３】
図２３は、利用状況一覧画面の画面例を示す説明図である。図２３において、利用状況一覧画面２３００は、各施設の利用状況を一覧表示する画面である。利用状況一覧画面２３００では、各施設について予約された時間帯が、現在時刻における各施設の利用状況に応じた背景色Ｃ１，Ｃ２，Ｃ３でハッチングされている。なお、図２３中、マーク２３０１は現在時刻を示している。
【０１７４】
背景色Ｃ１は、施設の利用状況が「使用中」であることを示す。背景色Ｃ２は、施設の利用状況が「未使用」であることを示す。背景色Ｃ３は、施設の利用状況が「終了」であることを示す。利用状況一覧画面２３００によれば、ユーザは、現在時刻（図２３の例では、２０１５年１２月１８日１０時３０分）における各施設の利用状況を確認することができる。
【０１７５】
例えば、場所「川崎研究所Ｓ６０２会議室」について、件名「××戦略会議」の会議の開始予定日時「１０：００」が過ぎているにもかかわらず利用状況が「未使用」となっている。このため、ユーザは、場所「川崎研究所Ｓ６０２会議室」について、予約はされているが未使用のため利用できる可能性があることを把握することができる。
【０１７６】
また、例えば、場所「川崎研究所Ｓ６０３会議室」について、件名「企画会議」の会議の終了予定日時「１１：００」の前に利用状況が「終了」となっている。このため、ユーザは、場所「川崎研究所Ｓ６０３会議室」について、終了予定日時は経過していないものの既に利用可能な状態となっていることを把握することができる。
【０１７７】
このように、各施設の利用状況を判別可能に表示することで、予約がされていても使用されていない施設を見つけやすくなり、施設の空予約を減らして効率的な運用を図ることができる。
【０１７８】
（第１のスケジュール案内装置＃ｉのスケジュール案内処理手順）
つぎに、図２４を用いて、第１のスケジュール案内装置＃ｉのスケジュール案内処理手順について説明する。
【０１７９】
図２４は、第１のスケジュール案内装置＃ｉのスケジュール案内処理手順の一例を示すフローチャートである。図２４のフローチャートにおいて、まず、第１のスケジュール案内装置＃ｉは、人感センサ４０４が人物を検知したか否かを判断する（ステップＳ２４０１）。
【０１８０】
ここで、第１のスケジュール案内装置＃ｉは、人感センサ４０４が人物を検知するのを待つ（ステップＳ２４０１：Ｎｏ）。そして、第１のスケジュール案内装置＃ｉは、人感センサ４０４が人物を検知した場合（ステップＳ２４０１：Ｙｅｓ）、ユーザ識別情報を非接触送信させることを促すメッセージを含む入力画面をディスプレイ４０６に表示する（ステップＳ２４０２）。
【０１８１】
つぎに、第１のスケジュール案内装置＃ｉは、非接触センサ４０３により、非接触でユーザ識別情報を取得したか否かを判断する（ステップＳ２４０３）。ここで、第１のスケジュール案内装置＃ｉは、ユーザ識別情報を取得するのを待つ（ステップＳ２４０３：Ｎｏ）。そして、第１のスケジュール案内装置＃ｉは、ユーザ識別情報を取得した場合（ステップＳ２４０３：Ｙｅｓ）、取得したユーザ識別情報をスケジュール管理装置１０３に通知する（ステップＳ２４０４）。
【０１８２】
つぎに、第１のスケジュール案内装置＃ｉは、取得したユーザ識別情報の通知に応じて、スケジュール管理装置１０３から当該ユーザ識別情報に対応するスケジュール情報を受信したか否かを判断する（ステップＳ２４０５）。ここで、第１のスケジュール案内装置＃ｉは、スケジュール管理装置１０３からスケジュール情報を受信するのを待つ（ステップＳ２４０５：Ｎｏ）。
【０１８３】
そして、第１のスケジュール案内装置＃ｉは、スケジュール情報を受信した場合（ステップＳ２４０５：Ｙｅｓ）、受信したスケジュール情報であって、時間ｔに対応するスケジュール情報および／または時間ｔに後続する直近のスケジュール情報を含むスケジュール画面をディスプレイ４０６に表示する（ステップＳ２４０６）。
【０１８４】
つぎに、第１のスケジュール案内装置＃ｉは、経路案内の表示指示を受け付けたか否かを判断する（ステップＳ２４０７）。ここで、経路案内の表示指示を受け付けていない場合（ステップＳ２４０７：Ｎｏ）、第１のスケジュール案内装置＃ｉは、ステップＳ２４０９に移行する。
【０１８５】
一方、経路案内の表示指示を受け付けた場合（ステップＳ２４０７：Ｙｅｓ）、第１のスケジュール案内装置＃ｉは、スケジュール情報に含まれる場所への経路案内を含む経路案内画面をディスプレイ４０６に表示する（ステップＳ２４０８）。そして、第１のスケジュール案内装置＃ｉは、表示終了指示を受け付けたか否かを判断する（ステップＳ２４０９）。
【０１８６】
ここで、表示終了指示を受け付けていない場合（ステップＳ２４０９：Ｎｏ）、第１のスケジュール案内装置＃ｉは、ステップＳ２４０７に戻る。一方、表示終了指示を受け付けた場合（ステップＳ２４０９：Ｙｅｓ）、第１のスケジュール案内装置＃ｉは、画面の表示を終了して（ステップＳ２４１０）、本フローチャートによる一連の処理を終了する。
【０１８７】
これにより、ディスプレイ４０６にカードｃｄをかざしたり、画面上をタップするなどの簡単な操作で、次の予定がいつどこで行われるのか、さらには、次の場所への経路を確認できるようにすることができる。
【０１８８】
なお、ステップＳ２４０３において、第１のスケジュール案内装置＃ｉは、例えば、一定時間（例えば、５分程度）経過してもユーザ識別情報を取得していない場合は、入力画面の表示を終了することにしてもよい。また、ステップＳ２４０８において、第１のスケジュール案内装置＃ｉは、例えば、取得したユーザ識別情報が属するユーザ種別に応じて、場所情報が示す場所への詳細度の異なる経路案内を含む経路案内画面を表示することにしてもよい。また、ステップＳ２４０８において、第１のスケジュール案内装置＃ｉは、例えば、非接触センサ４０３の設置場所から場所情報が示す場所までの経路に含まれる交通機関を利用した経路案内を含む経路案内画面を表示することにしてもよい。
【０１８９】
（第２のスケジュール案内装置＄ｊのスケジュール案内処理手順）
つぎに、図２５および図２６を用いて、第２のスケジュール案内装置＄ｊのスケジュール案内処理手順について説明する。
【０１９０】
図２５および図２６は、第２のスケジュール案内装置＄ｊのスケジュール案内処理手順の一例を示すフローチャートである。図２５のフローチャートにおいて、まず、第２のスケジュール案内装置＄ｊは、ユーザ識別情報を非接触送信させることを促すメッセージを含む第１の利用状況確認画面をディスプレイ４０６に表示する（ステップＳ２５０１）。
【０１９１】
なお、第１の利用状況確認画面は、例えば、図１６に示した利用状況確認画面１６００に対応する。
【０１９２】
つぎに、第２のスケジュール案内装置＄ｊは、非接触センサ４０３により、非接触でユーザ識別情報を取得したか否かを判断する（ステップＳ２５０２）。ここで、第２のスケジュール案内装置＄ｊは、ユーザ識別情報を取得するのを待つ（ステップＳ２５０２：Ｎｏ）。
【０１９３】
そして、第２のスケジュール案内装置＄ｊは、ユーザ識別情報を取得した場合（ステップＳ２５０２：Ｙｅｓ）、取得したユーザ識別情報と、自装置の識別情報（または、設置位置）とをスケジュール管理装置１０３に通知する（ステップＳ２５０３）。
【０１９４】
つぎに、第２のスケジュール案内装置＄ｊは、スケジュール管理装置１０３から、スケジュール情報ＳＣに含まれる場所Ｐの利用状況を更新したことを示す更新通知を受信したか否かを判断する（ステップＳ２５０４）。ここで、更新通知を受信しなかった場合（ステップＳ２５０４：Ｎｏ）、第２のスケジュール案内装置＄ｊは、スケジュール管理装置１０３からエラー通知を受信したか否かを判断する（ステップＳ２５０５）。
【０１９５】
なお、エラー通知は、スケジュール情報ＳＣに含まれる場所Ｐが、第２のスケジュール案内装置＄ｊの識別情報（または、設置位置）に対応していないことを示す情報である。
【０１９６】
ここで、エラー通知を受信した場合（ステップＳ２５０５：Ｙｅｓ）、第２のスケジュール案内装置＄ｊは、スケジュール情報ＳＣに含まれる場所Ｐが、第２のスケジュール案内装置＄ｊの識別情報（または、設置位置）に対応していないことを示すエラーメッセージを出力して（ステップＳ２５０６）、ステップＳ２５０２に戻る。
【０１９７】
一方、エラー通知を受信していない場合（ステップＳ２５０５：Ｎｏ）、第２のスケジュール案内装置＄ｊは、ステップＳ２５０４に戻る。
【０１９８】
また、ステップＳ２５０４において、第２のスケジュール案内装置＄ｊは、更新通知を受信した場合（ステップＳ２５０４：Ｙｅｓ）、利用状況テーブル２５０内の対応する利用状況情報の利用状況を「使用中」に更新する（ステップＳ２５０７）。そして、第２のスケジュール案内装置＄ｊは、場所Ｐの利用状況が更新された旨のメッセージを含む第２の利用状況確認画面をディスプレイ４０６に表示して（ステップＳ２５０８）、図２６に示すステップＳ２６０１に移行する。
【０１９９】
なお、第２の利用状況確認画面は、例えば、図１７に示した利用状況確認画面１７００に対応する。
【０２００】
図２６のフローチャートにおいて、まず、第２のスケジュール案内装置＄ｊは、非接触センサ４０３により、非接触でユーザ識別情報を取得したか否かを判断する（ステップＳ２６０１）。ここで、ユーザ識別情報を取得していない場合（ステップＳ２６０１：Ｎｏ）、第２のスケジュール案内装置＄ｊは、ステップＳ２６０５に移行する。
【０２０１】
一方、ユーザ識別情報を取得した場合（ステップＳ２６０１：Ｙｅｓ）、第２のスケジュール案内装置＄ｊは、利用状況テーブル２５０内の対応する利用状況情報を参照して、取得したユーザ識別情報が示すユーザが参加予定者であるか否かを判断する（ステップＳ２６０２）。
【０２０２】
ここで、参加予定者である場合（ステップＳ２６０２：Ｙｅｓ）、第２のスケジュール案内装置＄ｊは、利用状況テーブル２５０内の対応する利用状況情報の参加状況（参加人数、参加者）を更新して（ステップＳ２６０３）、ステップＳ２６０５に移行する。なお、第２の利用状況確認画面の表示内容は、参加状況の更新に応じて更新される（例えば、図１８に示した利用状況確認画面１８００参照）。
【０２０３】
一方、参加予定者ではない場合（ステップＳ２６０２：Ｎｏ）、第２のスケジュール案内装置＄ｊは、参加予定者ではない旨のエラーメッセージを出力して（ステップＳ２６０４）、ステップＳ２６０５に移行する。
【０２０４】
つぎに、第２のスケジュール案内装置＄ｊは、利用状況テーブル２５０内の対応する利用状況情報を参照して、終了予定日時の５分前となったか否かを判断する（ステップＳ２６０５）。ここで、終了予定日時の５分前となっていない場合（ステップＳ２６０５：Ｎｏ）、第２のスケジュール案内装置＄ｊは、ステップＳ２６０７に移行する。
【０２０５】
一方、終了予定日時の５分前となった場合（ステップＳ２６０５：Ｙｅｓ）、第２のスケジュール案内装置＄ｊは、場所Ｐの延長申請を促すメッセージを含む第３の利用状況確認画面をディスプレイ４０６に表示する（ステップＳ２６０６）。
【０２０６】
なお、第３の利用状況確認画面は、例えば、図１９に示した利用状況確認画面１９００に対応する。また、第３の利用状況確認画面が表示された後、場所Ｐの延長申請が行われると、利用状況テーブル２５０内の対応する利用状況情報の終了予定日時が更新される。
【０２０７】
つぎに、第２のスケジュール案内装置＄ｊは、チェックアウト操作を受け付けたか否かを判断する（ステップＳ２６０７）。ここで、チェックアウト操作を受け付けていない場合（ステップＳ２６０７：Ｎｏ）、第２のスケジュール案内装置＄ｊは、ステップＳ２６０１に戻る。
【０２０８】
一方、チェックアウト操作を受け付けた場合（ステップＳ２６０７：Ｙｅｓ）、第２のスケジュール案内装置＄ｊは、場所Ｐの利用状況が「終了」に更新された旨のメッセージを含む第４の利用状況確認画面をディスプレイ４０６に表示して（ステップＳ２６０８）、本フローチャートによる一連の処理を終了する。
【０２０９】
なお、第４の利用状況確認画面は、例えば、図２２に示した利用状況確認画面２２００に対応する。
【０２１０】
これにより、会議などを円滑に行うことができるように支援することができる。
【０２１１】
以上説明したように、実施の形態にかかる第１のスケジュール案内装置＃ｉによれば、ディスプレイ４０６の背面側に配置された非接触センサ４０３により、カードｃｄに記憶されたユーザ識別情報を非接触で取得することができる。また、第１のスケジュール案内装置＃ｉによれば、取得したユーザ識別情報をスケジュール管理装置１０３に通知し、当該通知に応じてスケジュール管理装置１０３から、当該ユーザ識別情報に対応するスケジュール情報を取得することができる。そして、第１のスケジュール案内装置＃ｉによれば、取得したスケジュール情報であって、時間ｔに対応するスケジュール情報および／または時間ｔに後続する直近のスケジュール情報を出力することができる。なお、時間ｔは、非接触センサ４０３がユーザ識別情報を取得した時間であり、例えば、ユーザがカードｃｄをディスプレイ４０６にかざした時間に対応する。
【０２１２】
これにより、ユーザは、ディスプレイ４０６にカードｃｄをかざすといった簡単な非接触操作を行うだけで、自身の現在の予定または次の予定を示すスケジュール情報を確認することができる。例えば、予定が会議の場合には、ユーザは、次の会議がいつどこで行われるのかを簡単に確認することができる。また、例えば、予定が作業の場合には、ユーザは、次の作業をいつどこで行うのかを簡単に確認することができる。
【０２１３】
なお、上述した説明では、スケジュール管理装置１０３は、第１のスケジュール案内装置＃ｉから通知されたユーザ識別情報に対応するスケジュール情報をスケジュール管理ＤＢ２２０から抽出して、抽出したスケジュール情報を第１のスケジュール案内装置＃ｉに送信する場合を例に挙げて説明したが、これに限らない。
【０２１４】
例えば、スケジュール管理装置１０３は、さらに、抽出したスケジュール情報の件名に対応する利用状況管理情報を利用状況管理ＤＢ２３０から抽出することにしてもよい。つぎに、スケジュール管理装置１０３は、抽出した利用状況管理情報の場所、開始予定日時、終了予定日時等が、抽出したスケジュール情報と異なる場合には、利用状況管理情報に合わせて、スケジュール情報の場所、開始予定日時、終了予定日時等を変更することにしてもよい。そして、スケジュール管理装置１０３は、変更後のスケジュール情報を第１のスケジュール案内装置＃ｉに送信することにしてもよい。
【０２１５】
これにより、例えば、会議の主催者や管理者によって急な場所変更や時間変更がなされた際に、参加者全員のスケジュール情報が変更されていなくても、変更後の場所や時間を提示することができ、ユーザの利便性を向上させることができる。
【０２１６】
また、第１のスケジュール案内装置＃ｉによれば、場所情報を含むスケジュール情報を出力する場合には、当該場所情報が示す場所への経路案内を出力することができる。これにより、ユーザは、自身の現在の予定または次の予定が行われる場所への経路を確認することができる。例えば、予定が会議の場合には、ユーザは、次の会議が行われる会議室への経路を確認することができる。また、例えば、予定が作業の場合には、ユーザは、次の作業を行う作業場所（例えば、データセンタ内のラック位置）への経路を確認することができる。
【０２１７】
また、第１のスケジュール案内装置＃ｉによれば、非接触センサ４０３の設置場所から場所情報が示す場所までの経路に含まれる交通機関を利用した経路案内を出力することができる。これにより、ユーザは、自身の現在の予定または次の予定が行われる場所への交通機関を利用した経路を確認することができる。例えば、予定が会議の場合には、ユーザは、次の会議が行われる会議室への交通機関を利用した経路を確認することができる。また、例えば、予定が作業の場合には、ユーザは、次の作業を行う作業場所（例えば、データセンタ内のラック位置）への交通機関を利用した経路を確認することができる。
【０２１８】
また、第１のスケジュール案内装置＃ｉによれば、人感センサ４０４が人物を検知した場合に、ユーザ識別情報を非接触送信させることを促す出力を行うことができる。これにより、第１のスケジュール案内装置＃ｉ付近に人がいないときの無駄な出力を防いで、省電力化を図ることができる。また、ユーザ識別情報を非接触送信できることを知らせることで、ユーザが第１のスケジュール案内装置＃ｉを利用する機会を逸してしまうことを防ぐことができる。
【０２１９】
また、第１のスケジュール案内装置＃ｉによれば、取得したユーザ識別情報が属するユーザ種別に応じて、場所情報が示す場所への詳細度の異なる経路案内を出力することができる。これにより、例えば、会社の社員に対しては簡易的な経路案内を行い、ゲストに対しては詳細な経路案内を行うといった、各施設の位置の把握度合いに応じた経路案内を行うことができる。
【０２２０】
これらのことから、第１のスケジュール案内装置＃ｉによれば、次の予定がいつどこで行われるのか、さらには、次の場所への経路を簡単に確認できるようになる。したがって、ユーザは、自身の予定を見落とすことなく次の場所へスムーズに到達することが可能となり、結果的に会議室やデータセンタなどの施設の効率的な運用を図ることができる。
【０２２１】
また、実施の形態にかかる第２のスケジュール案内装置＄ｊによれば、ディスプレイ４０６の背面側に配置された非接触センサ４０３により、カードｃｄに記憶されたユーザ識別情報を非接触で取得することができる。また、第２のスケジュール案内装置＄ｊによれば、取得したユーザ識別情報と、自装置の識別情報または設置位置とをスケジュール管理装置１０３に通知し、スケジュール管理装置１０３から場所Ｐの利用状況を更新したことを示す更新通知を取得することができる。更新通知は、スケジュール情報ＳＣに含まれる場所Ｐが、第２のスケジュール案内装置＄ｊの識別情報または設置位置に対応する場合にスケジュール管理装置１０３から送信される。スケジュール情報ＳＣは、時間ｔに対応するスケジュール情報および／または時間ｔに後続する直近のスケジュール情報である。時間ｔは、ユーザ識別情報を第２のスケジュール案内装置＄ｊの非接触センサ４０３が取得した時間である。そして、第２のスケジュール案内装置＄ｊによれば、場所Ｐの利用状況を更新したことを示す更新通知を取得したことに応じて、場所Ｐの利用状況が更新された旨の出力を行うことができる。
【０２２２】
これにより、ユーザは、ディスプレイ４０６にカードｃｄをかざすといった簡単な非接触操作を行うだけで、場所Ｐへのチェックイン操作を行うことができる。例えば、予定が会議の場合には、スケジュール管理装置１０３において、会議室の利用状況が更新されるため、他のユーザは、会議室の使用が開始されたことを認識することができる。また、例えば、予定が作業の場合には、スケジュール管理装置１０３において、作業場所の利用状況が更新されるため、管理者は、作業者が作業場所に到着していることを認識することができる。また、ユーザは、例えば、場所Ｐへのチェックインが完了して、場所Ｐの利用状況が「使用中」に更新されたことを把握することができる。
【０２２３】
また、第２のスケジュール案内装置＄ｊによれば、スケジュール情報ＳＣに基づく場所Ｐの利用可能時間を出力することができる。これにより、ユーザは、スケジュール情報ＳＣの予定のために、場所Ｐをどれくらいの時間利用することができるのかを確認することができる。例えば、予定が会議の場合には、ユーザは、会議室をどれくらいの時間利用することができるのかを確認することができる。また、例えば、予定が作業の場合には、ユーザは、作業場所での作業をどれくらいの時間で終わらせる必要があるのかを確認することができる。
【０２２４】
また、第２のスケジュール案内装置＄ｊによれば、場所Ｐの利用可能時間が経過する所定時間前において場所Ｐの利用状況が更新されない場合、場所Ｐの利用時間の延長を促す出力を行うことができる。これにより、場所Ｐの利用可能時間の経過が迫っているにもかかわらず延長申請をし忘れているようなユーザに対して、場所Ｐの利用時間の延長申請を行うように促すことができる。例えば、予定が会議の場合には、ユーザは、会議室の利用可能時間の経過が迫っていることを認識することができ、必要に応じて会議室の利用時間の延長申請を行うことができる。また、例えば、予定が作業の場合には、ユーザは、作業場所での作業予定時間の経過が迫っていることを認識することができ、必要に応じて作業場所での作業時間の延長申請を行うことができる。
【０２２５】
また、第２のスケジュール案内装置＄ｊによれば、非接触センサ４０３が取得したユーザ識別情報の数に応じて、スケジュール情報ＳＣが示す予定（スケジュール）への参加状況を出力することができる。これにより、ユーザは、スケジュール情報ＳＣが示す予定への参加状況を確認することができる。例えば、予定が会議の場合には、ユーザは、会議への参加予定者の参加状況を確認することができる。また、例えば、予定が作業の場合には、ユーザは、作業への参加予定者の参加状況を確認することができる。
【０２２６】
また、第２のスケジュール案内装置＄ｊによれば、非接触センサ４０３が取得したユーザ識別情報と、スケジュール情報ＳＣが示す予定（スケジュール）への参加予定ユーザ（参加予定者）を示すユーザ識別情報との一致判定結果を出力することができる。これにより、ユーザは、スケジュール情報ＳＣが示す予定への参加予定者のうち、誰が参加しているか、あるいは、誰が参加していないかを把握することができる。例えば、予定が会議の場合には、ユーザは、会議への参加予定者のうち、誰が参加しているか、あるいは、誰が参加していないかを把握することができる。また、例えば、予定が作業の場合には、ユーザは、作業への参加予定者のうち、誰が参加しているか、あるいは、誰が参加していないかを把握することができる。
【０２２７】
これらのことから、第２のスケジュール案内装置＄ｊによれば、会議や作業などを円滑に行うことができるように支援することができ、会議室やデータセンタなどの施設の効率的な運用を図ることができる。また、各施設のリアルタイムな利用状況を把握することが可能となるため、予約がされていても使用されていない施設が見つけやすくなり、施設の空予約を減らして効率的な運用を図ることができる。
【０２２８】
なお、管理者が定めた、スケジュール管理ＤＢ２２０に登録されていない、施設利用予定外の人（参加予定者以外の人）は、場所案内やチェックイン操作を行えないモードに設定可能にしてもよい。これにより、例えば、参加予定でない人が自身等のスケジュールを任意で入れていた場合に、不必要な情報を出さないようにすることができる。
【０２２９】
なお、本実施の形態で説明したスケジュール案内方法は、予め用意されたプログラムをパーソナル・コンピュータやワークステーション等のコンピュータで実行することにより実現することができる。本スケジュール案内プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、本スケジュール案内プログラムは、インターネット等のネットワークを介して配布してもよい。
【０２３０】
上述した実施の形態に関し、さらに以下の付記を開示する。
【０２３１】
（付記１）非接触でユーザ識別情報を取得する非接触センサと、
ユーザ識別情報に対応付けてスケジュール情報を記憶するスケジュール管理装置に、前記非接触センサが取得した前記ユーザ識別情報を通知し、通知に応じて前記スケジュール管理装置から取得した前記ユーザ識別情報に対応するスケジュール情報であって、前記非接触センサが前記ユーザ識別情報を取得した時間に対応するスケジュール情報および／または前記時間に後続する直近のスケジュール情報を出力する制御部と、
を有することを特徴とするスケジュール案内装置。
【０２３２】
（付記２）前記制御部は、場所情報を含むスケジュール情報を出力する場合に、前記場所情報が示す場所への経路案内を出力する、ことを特徴とする付記１に記載のスケジュール案内装置。
【０２３３】
（付記３）前記制御部は、前記非接触センサの設置場所から前記場所情報が示す場所までの経路に含まれる交通機関を利用した経路案内を出力する、ことを特徴とする付記２に記載のスケジュール案内装置。
【０２３４】
（付記４）前記スケジュール案内装置は、さらに、人感センサを有し、
前記制御部は、前記人感センサが人物を検知した場合に、ユーザ識別情報を非接触送信させることを促す出力を行う、ことを特徴とする付記１〜３のいずれか一つに記載のスケジュール案内装置。
【０２３５】
（付記５）前記制御部は、前記非接触センサが取得した前記ユーザ識別情報が属するユーザ種別に応じて、前記場所情報が示す場所への詳細度の異なる経路案内を出力する、ことを特徴とする付記２に記載のスケジュール案内装置。
【０２３６】
（付記６）前記制御部が出力した前記スケジュール情報に後続するスケジュール情報への出力の切り替え指示を受け付ける操作部をさらに有する、ことを特徴とする付記１〜５のいずれか一つに記載のスケジュール案内装置。
【０２３７】
（付記７）非接触でユーザ識別情報を取得する非接触センサと、
ユーザ識別情報に対応付けてスケジュール情報を記憶するスケジュール管理装置に、前記非接触センサが取得した前記ユーザ識別情報と、自装置の識別情報または設置位置とを通知し、通知した前記ユーザ識別情報を前記非接触センサが取得した時間に対応するスケジュール情報および／または前記時間に後続する直近のスケジュール情報に含まれる場所が、通知した前記自装置の識別情報または設置位置に対応する場合に前記スケジュール管理装置により行われる前記場所の利用状況の更新に応じて、前記場所の利用状況が更新された旨の出力を行う制御部と、
を有することを特徴とするスケジュール案内装置。
【０２３８】
（付記８）前記制御部は、前記スケジュール情報に基づく前記場所の利用可能時間を出力する、ことを特徴とする付記７に記載のスケジュール案内装置。
【０２３９】
（付記９）前記スケジュール情報に後続するスケジュール情報への出力の切り替え指示を受け付ける操作部をさらに有する、ことを特徴とする付記７または８に記載のスケジュール案内装置。
【０２４０】
（付記１０）前記制御部は、前記場所の利用可能時間が経過する所定時間前において前記場所の利用状況が更新されない場合、前記場所の利用時間の延長を促す出力を行う、ことを特徴とする付記７〜９のいずれか一つに記載のスケジュール案内装置。
【０２４１】
（付記１１）前記制御部は、前記非接触センサが取得したユーザ識別情報の数に応じて、前記スケジュール情報が示すスケジュールへの参加状況を出力する、ことを特徴とする付記７〜１０のいずれか一つに記載のスケジュール案内装置。
【０２４２】
（付記１２）前記制御部は、前記非接触センサが取得したユーザ識別情報と、前記スケジュール情報が示すスケジュールへの参加予定ユーザを示すユーザ識別情報との一致判定結果を出力する、ことを特徴とする付記７〜１１のいずれか一つに記載のスケジュール案内装置。
【０２４３】
（付記１３）前記制御部が行う出力の出力先は、ディスプレイへの出力であり、
前記非接触センサは、前記ディスプレイの背面側に配置される、ことを特徴とする付記１〜１２のいずれか一つに記載のスケジュール案内装置。
【０２４４】
（付記１４）コンピュータが、
ユーザ識別情報に対応付けてスケジュール情報を記憶するスケジュール管理装置に、非接触でユーザ識別情報を取得する非接触センサが取得した前記ユーザ識別情報を通知し、
通知に応じて前記スケジュール管理装置から取得した前記ユーザ識別情報に対応するスケジュール情報であって、前記非接触センサが前記ユーザ識別情報を取得した時間に対応するスケジュール情報および／または前記時間に後続する直近のスケジュール情報を出力する、
処理を実行することを特徴とするスケジュール案内方法。
【０２４５】
（付記１５）コンピュータが、
ユーザ識別情報に対応付けてスケジュール情報を記憶するスケジュール管理装置に、非接触でユーザ識別情報を取得する非接触センサが取得した前記ユーザ識別情報と、自装置の識別情報または設置位置とを通知し、
通知した前記ユーザ識別情報を前記非接触センサが取得した時間に対応するスケジュール情報および／または前記時間に後続する直近のスケジュール情報に含まれる場所が、通知した前記自装置の識別情報または設置位置に対応する場合に前記スケジュール管理装置により行われる前記場所の利用状況の更新に応じて、前記場所の利用状況が更新された旨の出力を行う、
処理を実行することを特徴とするスケジュール案内方法。
【０２４６】
（付記１６）コンピュータに、
ユーザ識別情報に対応付けてスケジュール情報を記憶するスケジュール管理装置に、非接触でユーザ識別情報を取得する非接触センサが取得した前記ユーザ識別情報を通知し、
通知に応じて前記スケジュール管理装置から取得した前記ユーザ識別情報に対応するスケジュール情報であって、前記非接触センサが前記ユーザ識別情報を取得した時間に対応するスケジュール情報および／または前記時間に後続する直近のスケジュール情報を出力する、
処理を実行させることを特徴とするスケジュール案内プログラム。
【０２４７】
（付記１７）コンピュータに、
ユーザ識別情報に対応付けてスケジュール情報を記憶するスケジュール管理装置に、非接触でユーザ識別情報を取得する非接触センサが取得した前記ユーザ識別情報と、自装置の識別情報または設置位置とを通知し、
通知した前記ユーザ識別情報を前記非接触センサが取得した時間に対応するスケジュール情報および／または前記時間に後続する直近のスケジュール情報に含まれる場所が、通知した前記自装置の識別情報または設置位置に対応する場合に前記スケジュール管理装置により行われる前記場所の利用状況の更新に応じて、前記場所の利用状況が更新された旨の出力を行う、
処理を実行させることを特徴とするスケジュール案内プログラム。
【符号の説明】
【０２４８】
１０１  スケジュール案内装置
１０２  非接触型ＩＣカード
１１０，４０３  非接触センサ
１２０，４０６  ディスプレイ
２００  スケジュール案内システム
２２０  スケジュール管理ＤＢ
２３０  利用状況管理ＤＢ
２４０  最寄り駅ＤＢ
２５０  利用状況テーブル
９０１，１５０１  取得部
９０２，１５０２  通知部
９０３，１５０３  出力部
１０００  入力画面
１１００  スケジュール画面
１２００，１３００，１４００  経路案内画面
１６００，１７００，１８００，１９００，２１００，２２００  利用状況確認画面
２０００  延長申請画面
２３００  利用状況一覧画面
ｃｄ  カード
＃１〜＃ｎ，＃ｉ  第１のスケジュール案内装置
＄１〜＄ｍ，＄ｊ  第２のスケジュール案内装置
【図１】
0006794643.tif 000002
【図２】
0006794643.tif 000003
【図３】
0006794643.tif 000004
【図４】
0006794643.tif 000005
【図５】
0006794643.tif 000006
【図６】
0006794643.tif 000007
【図７】
0006794643.tif 000008
【図８】
0006794643.tif 000009
【図９】
0006794643.tif 000010
【図１０】
0006794643.tif 000011
【図１１】
0006794643.tif 000012
【図１２】
0006794643.tif 000013
【図１３】
0006794643.tif 000014
【図１４】
0006794643.tif 000015
【図１５】
0006794643.tif 000016
【図１６】
0006794643.tif 000017
【図１７】
0006794643.tif 000018
【図１８】
0006794643.tif 000019
【図１９】
0006794643.tif 000020
【図２０】
0006794643.tif 000021
【図２１】
0006794643.tif 000022
【図２２】
0006794643.tif 000023
【図２３】
0006794643.tif 000024
【図２４】
0006794643.tif 000025
【図２５】
0006794643.tif 000026
【図２６】
0006794643.tif 000027